(57)【要約】  多層タッチパネルは、互いに交差する上部電極及び下部電極を有する。クロスオーバー領域でのどちらか一方の電極に対する電極パターンは、クロスオーバー領域での他方の電極に対して補完的である。
2016502198.tif 000002
【特許請求の範囲】
【請求項１】
微小ワイヤ導電体の相互接続された上部メッシュで構成される上部電極と、
微小ワイヤ導電体の相互接続された下部メッシュで構成される下部電極と、
前記上部電極と前記下部電極との間に配置された絶縁体と、を備え、
前記上部電極がクロスオーバー領域で前記下部電極と交差し、これにより、第１の導電体パターンを有する上部電極クロスオーバー領域、及び第２の導電体パターンを有する下部電極クロスオーバー領域を画定し、
前記第１の導電体パターンは第１の可変活性領域導電体密度を有し、前記第２の導電体パターンは第２の可変活性領域導電体密度を有し、
前記第１の及び第２の可変活性領域導電体密度は互いに補完的である、多層タッチパネル。
【請求項２】
前記第１のパターン及び前記第２のパターンが微小ワイヤ導電体セルで構成され、前記第１のパターンの平均セルサイズが、前記第２のパターンの平均セルサイズより大きい、請求項１に記載のタッチパネル。
【請求項３】
前記第１のパターン及び前記第２のパターンが微小ワイヤ導電体セルで構成され、前記第１のパターンのセルが、１００マイクロメートル〜５ミリメートルの平均セルサイズを有し、前記第２のパターンのセルが、５０マイクロメートル〜１００マイクロメートルの平均セルサイズを有する、請求項１に記載のタッチパネル。
【請求項４】
前記上部電極クロスオーバー領域が第１の平均活性領域導電体密度を有し、前記下部電極クロスオーバー領域が第２の平均活性領域導電体密度を有し、前記第２の平均活性領域導電体密度が前記第１の平均活性領域導電体密度より高い、請求項１に記載のタッチパネル。
【請求項５】
前記上部メッシュ及び前記下部メッシュが０．７５〜５マイクロメートルの幅を有する金属トレースを含む、請求項１に記載のタッチパネル。
【請求項６】
微小ワイヤ導電体の相互接続された上部メッシュで構成される上部電極と、
微小ワイヤ導電体の相互接続された下部メッシュで構成される下部電極と、
前記上部電極と前記下部電極との間に配置された絶縁体と、を備え、
前記上部電極がクロスオーバー領域で前記下部電極と交差し、これにより、第１の導電体パターンを有する上部電極クロスオーバー領域、及び第２の導電体パターンを有する下部電極クロスオーバー領域を画定し、
前記第１の導電体パターンは均一な活性領域導電体密度を有し、前記第２の導電体パターンは可変活性領域導電体密度を有し、
前記第２の導電体パターンの少なくとも一部が、前記第１の導電体パターンの前記活性領域導電体密度より高い活性領域導電体密度を有する、多層タッチパネル。
【請求項７】
前記上部電極クロスオーバー領域が第１の平均活性領域導電体密度を有し、前記下部電極クロスオーバー領域が第２の平均活性領域導電体密度を有し、前記第２の平均活性領域導電体密度が前記第１の平均活性領域導電体密度より高い、請求項６に記載のタッチパネル。
【請求項８】
前記上部メッシュ及び前記下部メッシュが０．５〜１０マイクロメートルの幅を有する金属トレースを含む、請求項６に記載のタッチパネル。
【請求項９】
微小ワイヤ導電体の相互接続された上部メッシュで構成される上部電極と、
微小ワイヤ導電体の相互接続された下部メッシュで構成される下部電極と、
前記上部電極と前記下部電極との間に配置された絶縁体と、を備え、
前記上部電極がクロスオーバー領域で前記下部電極と交差し、これにより、第１の導電体パターンを有する上部電極クロスオーバー領域、及び第２の導電体パターンを有する下部電極クロスオーバー領域を画定し、
前記第１の導電体パターンは可変活性領域導電体密度を有し、前記第２の導電体パターンは均一な活性領域導電体密度を有し、
前記第１の導電体パターンの少なくとも一部は、前記第２の導電体パターンの前記活性領域導電体密度より低い活性領域導電体密度を有する、多層タッチパネル。
【請求項１０】
前記第１のパターン及び前記第２のパターンが微小ワイヤ導電体セルで構成され、前記第１のパターンの平均セルサイズが、前記第２のパターンの平均セルサイズより大きい、請求項９に記載のタッチパネル。
【発明の詳細な説明】
【背景技術】
【０００１】
タッチスクリーンセンサは、タッチスクリーンディスプレイの表面に当てられた物体（例えば、指、又はスタイラス）の位置、又はタッチスクリーンディスプレイの表面の付近に位置付けられた物体の位置を検出する。これらのセンサは、ディスプレイの表面に沿った、例えば、平坦な矩形のディスプレイの平面にある物体の位置を検出する。タッチスクリーンセンサの例としては、静電容量センサ、抵抗センサ、及び投影型静電容量センサが挙げられる。このようなセンサとしては、ディスプレイに重ねる透明導電性要素が挙げられる。この要素は、ディスプレイの付近の、又はディスプレイと接触する物体の位置を決定するために、要素を探査する電気信号を使用する、電子部品と組み合わされる。
【発明の概要】
【発明が解決しようとする課題】
【０００２】
タッチスクリーンセンサの分野では、光学品質、又はディスプレイの特性を損なうことなく、透明タッチスクリーンセンサの電気的特性に関する制御を改善する必要性が存在する。典型的なタッチスクリーンセンサの透明導電性区域は、透明導電性酸化物（ＴＣＯ）、例えば、酸化インジウムスズ（ＩＴＯ）の連続的なコーティングを含み、このコーティングは、電圧源との接触位置、及び区域の全体形状に基づく電位勾配を呈する。この事実は、可能なタッチセンサの設計及びセンサの性能に対する制約へと繋がり、電位勾配を修正するための高価な信号処理電子機器又は追加的な電極の配置などの手段を必要とする。これにより、前述の要因とは別の、電位勾配の制御を提供する、透明導電性要素に対する必要性が存在する。
【０００３】
タッチスクリーンセンサの分野においては、導電性要素の設計における順応性に関する更なる必要性が存在する。パターン化された透明導電性酸化物（ＴＣＯ）、例えば、酸化インジウムスズ（ＩＴＯ）を使用するタッチスクリーンセンサの作製では、多くの場合、導電体の設計に制限が課せられる。この制限は、単一の等方性シート抵抗値を有する透明シート導電体の導電性要素全てをパターン化することに起因する制約に関する。
【課題を解決するための手段】
【０００４】
電極はマトリックス型相互静電容量式タッチパネルにおいて使用するために設計する。かかるタッチパネル内の上部下部電極が互いに交差するところに、ノードを形成し、この上部及び下部電極のパターンはクロスオーバー領域にわたって変化するので、パターンは補完的である。いくつかの実施形態において、これにより、指などの指示物体との容量結合及び信号対雑音比性能特性を改善することができる。
【０００５】
一実施形態において、多層タッチパネルが記述され、該パネルは、微小ワイヤ導電体の相互接続された上部メッシュで構成される上部電極と、微小ワイヤ導電体の相互接続された下部メッシュで構成される下部電極と、上部電極と下部電極との間に配置された絶縁体とを備え、上部電極がクロスオーバー領域で下部電極と交差し、これにより、第１の導電体パターンを有する上部電極クロスオーバー領域、及び第２の導電体パターンを有する下部電極クロスオーバー領域を画定し、
第１の導電体パターンが第１の可変活性領域導電体密度を有し、第２の導電体パターンが第２の可変活性領域導電体密度を有し、
第１の及び第２の可変活性領域導電体密度が互いに補完的である。
【０００６】
更なる実施形態において、多層タッチパネルが記述され、該タッチパネルは、微小ワイヤ導電体の相互接続された上部メッシュで構成される上部電極と、微小ワイヤ導電体の相互接続された下部メッシュで構成される下部電極と、上部電極と下部電極との間に配置された絶縁体とを備え、上部電極がクロスオーバー領域で下部電極と交差し、これにより、第１の導電体パターンを有する上部電極クロスオーバー領域、及び第２の導電体パターンを有する下部電極クロスオーバー領域を画定し、第１の導電体パターンが均一な活性領域導電体密度を有し、第２の導電体パターンが可変活性領域導電体密度を有し、少なくとも一部の第２の導電体パターンが第１の導電体パターンの活性領域導電体密度より高い活性領域導電体密度を有する。
【０００７】
更なる実施形態において、記述された多層タッチパネルであって、該タッチパネルは、微小ワイヤ導電体の相互接続された上部メッシュで構成される上部電極と、微小ワイヤ導電体の相互接続された下部メッシュで構成される下部電極と、上部電極と下部電極との間に配置された絶縁体とを備え、上部電極がクロスオーバー領域で下部電極と交差し、これにより、第１の導電体パターンを有する上部電極クロスオーバー領域、及び第２の導電体パターンを有する下部電極クロスオーバー領域を画定し、第１の導電体パターンが可変活性領域導電体密度を有し、第２の導電体パターンが均一な活性領域導電体密度を有し、少なくとも一部の第１の導電体パターンが第２の導電体パターンの活性領域導電体密度より低い活性領域導電体密度を有する。
【０００８】
これらの実施形態及び他の実施形態について以下に記載する。
【図面の簡単な説明】
【０００９】
以下の本発明の様々な実施形態の詳細な説明を、添付図面と併せて考慮することによって本発明をより完全に理解することができる。図中、
【図１】タッチスクリーンセンサ１００の概略図を例示する。
【図２】タッチスクリーン感知領域内に横たわっている、導電性可視光線透明区域の斜視図を例示する。
【図３ａ】導電性インクのＵＶレーザー硬化を使用して微小導電体を作製するプロセスを例示する。
【図３ｂ】導電性インクのＵＶレーザー硬化を使用して微小導電体を作製するプロセスを例示する。
【図４】微小導電体を作製するためのグラビア印刷プロセスを例示する。
【図５】導電性材料が充填された微小複製チャネルの断面図を例示する。
【図６】導電性材料が充填された微小複製チャネルとの指による容量結合を例示する。
【図７ａ】タッチセンサを製造するのに有用な可撓性基材上に作製された微小導電体のパターンを例示する。
【図７ｂ】タッチセンサを製造するのに有用な可撓性基材上に作製された微小導電体のパターンを例示する。
【図８】ダウンウェブ方向の可撓性ウェブ材料に印刷された平行な微小導電体を例示する。
【図９】図８から追加的な相互接続する導電体が追加された可撓性材料の断面を例示する。
【図１０】図９の材料２層から構成されるマトリックスタッチセンサの実施例の断面図である。
【図１１】タッチスクリーンセンサの一実施形態のための導電体微小パターンを例示する。
【図１２】局部シート抵抗を調節するための選択的な断絶部を有する導電性メッシュ、並びに接触パッドの形態のより大きな構造を含む、図３に例示される導電体微小パターンの一部を例示する。
【図１３】隣接するメッシュ内の選択的な断絶部によって生成される、図３に示される水平方向のメッシュバーに沿った、抵抗の変調を例示する。
【図１４】静電容量プレートが、抵抗素子によって分離される、図３に例示される導電体微小パターンの特性に近似する、回路図である。
【図１５】導電性微小パターンメッシュの選択的な断絶部によって部分的に作製される、異なるシート抵抗を有する１５ａ〜１５ｅと付番された区域を含む、タッチスクリーンセンサの一実施形態の導電体微小パターンを例示する。
【図１５ａ】図１５に例示される異なる導電体微小パターンの一部を例示する。
【図１５ｂ】図１５に例示される異なる導電体微小パターンの一部を例示する。
【図１５ｃ】図１５に例示される異なる導電体微小パターンの一部を例示する。
【図１５ｄ】図１５に例示される異なる導電体微小パターンの一部を例示する。
【図１５ｅ】図１５に例示される異なる導電体微小パターンの一部を例示する。
【図１６】均一な透明導電性酸化物、ＩＴＯのみを含む、同様の形状の区域における単位長さ当たりの抵抗と比較した際の、内部に区域１５ａ及び１５ｂを有する楔形透明導電性区域の長軸に沿った単位長さ当たりの抵抗の分布を例示する。
【図１７】タッチスクリーンセンサの一実施形態のＸ−Ｙグリッド型の投影型静電容量タッチスクリーンセンサを形成するために互いに積層された層の構成を例示する。
【図１８】図１７によるタッチスクリーンセンサの一実施形態のＸ層又はＹ層の導電体微小パターンを例示する。
【図１９】その部分が、接触パッドの形態のより大きな構造と接触する可視光線透明導電性メッシュ、並びにメッシュ区域間の空間内の電気的に絶縁された導電体堆積物を含む、図１０に例示される導電体微小パターンの一部を例示する。
【図２０】図９によるタッチスクリーンセンサの別の実施形態のＸ層又はＹ層の、導電体微小パターンを例示する。
【図２１】その部分が、接触パッドの形態のより大きな構造と接触する可視光線透明導電性メッシュ、並びにメッシュ区域間の空間内の電気的に絶縁された導電体堆積物を含む、図１２に示される導電体微小パターンの一部を例示する。
【図２２】図１７によるタッチスクリーンセンサの別の実施形態のＸ層又はＹ層の、導電体微小パターンを例示する。
【図２３】その部分が、接触パッドの形態のより大きな構造と接触する可視光線透明導電性メッシュ、並びにメッシュ区域間の空間内の電気的に絶縁された導電体堆積物を含む、図２２に示される導電体微小パターンの一部を例示する。
【図２４】その部分が、開放面積の比率対導電体トレース幅（マイクロメートル）のプロットであり、区域３がタッチスクリーンセンサに使用できる良好な光学品質であり、区域２は、区域２と比較した際により優れた光学品質であり、区域１は３つの区域の中で最良の光学品質を有する、タッチスクリーンセンサの光学品質を示すグラフを例示する。開放面積の比率は、本明細書において開放面積率と互換的に使用される。
【図２５】実施例６〜４０の特徴である六角形メッシュ（場合によって「ｈｅｘ」メッシュと称される）、及び正方形メッシュの形状の走査電子顕微鏡写真を例示する。各画像の明るい色調の線は、金属導電体のパターンを表し、暗い領域は、実施例で使用される基材を表している。
【図２６】実施例６〜４０の特徴である六角形メッシュ（場合によって「ｈｅｘ」メッシュと称される）、及び正方形メッシュの形状の走査電子顕微鏡写真を例示する。各画像の明るい色調の線は、金属導電体のパターンを表し、暗い領域は、実施例で使用される基材を表している。
【図２７】第１のパターン化された基材の様々な部分を例示する。
【図２７ａ】第１のパターン化された基材の様々な部分を例示する。
【図２７ｂ】第１のパターン化された基材の様々な部分を例示する。
【図２８】第２のパターン化された基材の様々な部分を例示する。
【図２８ａ】第２のパターン化された基材の様々な部分を例示する。
【図２８ｂ】第２のパターン化された基材の様々な部分を例示する。
【図２９】開放面積を含む様々な電極構成を例示する。
【図３０ａ】開放面積を含む様々な電極構成を例示する。
【図３０ｂ】開放面積を含む様々な電極構成を例示する。
【図３１ａ】開放面積を含む様々な電極構成を例示する。
【図３１ｂ】開放面積を含む様々な電極構成を例示する。
【図３１ｃ】開放面積を含む様々な電極構成を例示する。
【図３２】開放面積を含む様々な電極構成を例示する。
【図３３】開放面積を含む様々な電極構成を例示する。
【図３４】開放面積を含む様々な電極構成を例示する。
【図３５】開放面積を含む様々な電極構成を例示する。
【図３６】開放面積を含む様々な電極構成を例示する。
【図３７】補完的な電極の設計を示す。
【図３８】補完的な電極の設計を示す。
【図３９】互いに交差する上部及び下部電極の平面図を示す。
【図４０】互いに補完する列電極及び行電極を示す。
【図４１】４行及び４列、これにより１６ノードを有するマトリックス型タッチセンサパネルを示す。
【図４２】更なる補完的な電極の設計の実施形態を示す。
【図４３】更なる補完的な電極の設計の実施形態を示す。
【図４４】更なる補完的な電極の設計の実施形態を示す。
【図４５】更なる補完的な電極の設計の実施形態を示す。
【図４６】更なる補完的な電極の設計の実施形態を示す。
【図４７】更なる補完的な電極の設計の実施形態を示す。
【図４８】図２７及び図２８の第１及び第２のパターン化された基材から構成される、投影型静電容量タッチスクリーン透明センサ要素を例示する。
【００１０】
図は、必ずしも一定の縮尺ではない。図において使用される同様の番号は同様の構成要素を指す。しかしながら、所定の図中のある構成要素を指す数字の使用は、同じ数字が付された別の図における構成要素を限定することを意図するものではないことが理解されよう。
【発明を実施するための形態】
【００１１】
以下の説明においては、本明細書の一部を構成し、複数の特定の実施形態が例として示される添付の一連の図面を参照する。本発明の範囲又は趣旨を逸脱することなく、他の実施形態が考えられ、また実施され得ることを理解すべきである。したがって、以下の詳細な説明は、限定する意味で解釈すべきではない。
【００１２】
本明細書において使用する全ての科学用語及び技術用語は、特に指示がない限り、当該技術分野において一般的に使用される意味を有する。本明細書において与えられる用語の定義は、本明細書において頻繁に使用される特定の用語の理解を容易にするためのものであって、本開示の範囲を限定するものではない。
【００１３】
別途記載のない限り、本明細書及び特許請求の範囲で使用される形状寸法、量、物理的特性を表わす全ての数字は、すべての場合において用語「約」により修飾されていると理解されるべきである。したがって、特に記載のない限り、上記の明細書及び添付の特許請求の範囲に記載される数値パラメータは、当業者が本明細書に開示される教示を用いて得ようとする所望の特性に応じて変わり得る近似値である。
【００１４】
端点による数の範囲の記述は、その範囲内の全ての数字（例えば、１〜５は、１、１．５、２、２．７５、３、３．８０、４、及び５を含む）及びその範囲内の任意の範囲を含む。
【００１５】
本明細書及び添付の特許請求の範囲において使用されるとき、単数形「ａ」、「ａｎ」及び「ｔｈｅ」は、その内容が特に明確に指示しない限り、複数の指示対象を有する実施形態を包含する。本明細書及び添付の特許請求の範囲において使用される場合、用語「又は」は、その内容が特に明確に指示しない限り、一般的に「及び／又は」を包含する意味で用いられる。
【００１６】
本明細書で使用するとき、「可視光線透明性」とは、少なくとも１つの偏光状態の可視光線に対して、少なくとも６０パーセント透過性である透過率の水準を指し、ここで透過率パーセントは、入射光、任意により偏光の強度に正規化される。入射光の少なくとも６０％を透過する物品が、局部的に光を８０透過率パーセント未満（例えば、０％）に遮蔽する微細構造（例えば、最小寸法、例えば０．５〜１０マイクロメートル、又は１〜５マイクロメートルの幅の点、正方形、又は線）を含むのは、可視光線透明性の意味の範囲内であるが、このような場合、微細構造を含み、微細構造の最小寸法の１０００倍の幅を含む、およそ等軸の面積に関して、平均透過率は６０パーセントを超える。
【００１７】
本開示は、内部に含まれる導電体微小パターンの設計を通じて設計される、電気的及び光学的特性を有するタッチスクリーンセンサに関する。本明細書において記載される導電体微小パターンを組み込むことにより、タッチスクリーンセンサにもたらされるいくつかの利点が存在する。いくつかの実施形態では、透明導電性区域内の透明導電特性は、使用中の接触感知区域内の電位勾配を制御するように設計される。これは、信号処理電子機器の単純化、及びいくつかのタッチスクリーンセンサの種類においては、本来ならば電位勾配（電界）線形化に必要とされる追加的な導電体パターンの設計の単純化（又はその必要性の排除）に繋がる。いくつかの実施形態では、本明細書において記載されるタッチスクリーンセンサの電気的特性は、透明センサ要素に沿って、制御された電位勾配を生成するように設計される。例えば、電気的特性は、透明導電性区域内の特定の方向に沿った線形電位勾配を生成するように設計され、その全体的な形状は通常、標準的な透明導電体材料（例えば、連続的ＩＴＯコーティング）が使用された場合、非線形の勾配に繋がる。いくつかの実施形態では、電気的特性は、同じ形状であるが標準的な透明導電体材料（例えば、連続的ＩＴＯコーティング）で構成される透明導電性区域内に存在するものよりも高い、透明導電性区域の電位勾配の非線形性の水準を生じるように設計される。より詳細には、微小パターン化された導電体の形態の、隣接する透明シート導電体を含み、感知領域の角部への電気的接続が作られる矩形の静電容量タッチスクリーンにおいては、感知領域にわたる電位勾配の垂直方向及び水平方向の線形性（電界の均一性）が、電場をより均一に分布させるような方法でシート抵抗値の領域分布及び異方性を設計することによって、改善され得る。他の実施形態では、センサは、同じ厚さ（即ち、同じ高さ）の同じ導電体材料からなるが、微小パターン化によって有効シート抵抗を異にする導電体要素を含む。例えば、いくつかの実施形態では、同じ厚さ（即ち、高さ）の同じ導電体材料を使用して、透明導電性区域において第１のシート抵抗値となる第１の微小パターン形状を画定する導電トレース、及び第２の透明導電性区域において第２のシート抵抗値となる第２の微小パターン形状を画定する導電トレースを生成する。本開示はまた、いくつかの実施形態、例えば、微小パターン化された金属導電体に基づく実施形態において、例えば、インジウムなどの希元素を避けることによって、透明ディスプレイセンサの製造中、効率性及び資源利用を改善することができる。
【００１８】
更に、本開示は、電子装置（例えば、コンピュータ、携帯電話など）への情報又は命令のタッチ入力のための、接触又は近接センサに関する。これらのセンサは、可視光線透明であり、ディスプレイと直接組み合わせる場合に有用であり、これらがディスプレイ要素に重なり、（「タッチスクリーン」センサとして）ディスプレイを駆動する装置と連動する。このセンサ要素は、シートのような形状を有し、少なくとも１つの電気的に絶縁している可視光線透明基材層を含み、これは、以下の、ｉ）異なる有効シート抵抗値を有する２つの区域を生成するために、２つの別々のメッシュ設計を有する基材表面の２つの別々の区域にメッシュパターン化された導電性材料（例えば、金属）であって、区域のうちの少なくとも一方がセンサの接触感知領域内に位置する透明導電性区域である、導電性材料、ｉｉ）センサの接触感知領域内に位置し、異方性有効シート抵抗値を呈する、透明導電性区域を生成するように、メッシュ形状で基材の表面上にパターン化された導電性材料（例えば、金属）、及び／又はｉｉｉ）有効に電気的に連続的な透明導電性区域内で、メッシュ形状で基材の表面上にパターン化された導電性材料（例えば、金属）であって、その形状は、少なくとも一方向において局部的有効シート抵抗値（例えば、透明導電性区域に対して連続的に変化するシート抵抗）の異なる値を生成するために、区域内で異なり、この区域はタッチセンサの感知領域内に位置する、導電性材料、のうちの１つ以上を支持する。
【００１９】
タッチセンサの感知領域は、情報ディスプレイの可視部分に重なることを意図されるか、又は重なり、情報ディスプレイの可視性を可能にするために、可視光線透明性である、センサの区域である。情報ディスプレイの可視部分とは、変化可能な情報内容を有する情報ディスプレイの部分、例えば、ピクセル（例えば、液晶ディスプレイのピクセル）が占めるディスプレイ「スクリーン」の部分を指す。
【００２０】
更に、本開示は、抵抗、静電容量、及び投影型静電容量の種類の、タッチスクリーンセンサに関する。可視光線透明導電体微小パターンは、電子機器ディスプレイと一体化される投影型静電容量スクリーンセンサにおいて特に有用である。投影型静電容量タッチスクリーンセンサの構成要素として、可視光線透明導電性微小パターンは、高接触感度、マルチタッチ検出、及びスタイラス入力を可能にするために有用である。
【００２１】
透明導電性区域内の、２つ以上の異なるシート抵抗値、シート抵抗の異方性、又は様々なシート抵抗値は、下記のように透明微小パターン導電体を構成する二次元メッシュの形状によって制御することができる。
【００２２】
本発明はそのように限定されるものではないが、下記に与えられる実施例を考察することにより、本発明の様々な態様が認識されるであろう。
【００２３】
図１は、タッチスクリーンセンサ１００の概略図を例示する。タッチスクリーンセンサ１００は、接触感知領域１０５を有するタッチスクリーンパネル１１０を含む。接触感知領域１０５は、タッチセンサ駆動デバイス１２０に電気的に結合されている。タッチスクリーンパネル１１０は、表示デバイスに組み込まれている。
【００２４】
図２は、タッチスクリーンパネルの接触感知領域、例えば、図１の接触感知領域１０５内に位置する導電性可視光線透明区域１０１の斜視図を例示する。導電性可視光線透明区域１０１は、可視光線透明基材１３０、及び可視光線透明基材１３０の上又は中に配置される導電性微小パターン１４０を含む。可視光線透明基材１３０は、主表面１３２を含み、電気的に絶縁性である。可視光線透明基材１３０は、例えば、ガラス、又はポリマーなどの任意の有用な電気的に絶縁性の材料から形成することができる。光透明基材１３０に有用なポリマーの例としては、ポリエチレンテレフタレート（ＰＥＴ）、及びポリエチレンナフタレート（ＰＥＮ）が挙げられる。導電性微小パターン１４０は、複数の線形金属構造から形成することができる。
【００２５】
図２はまた、タッチスクリーンパネルの接触感知領域内に位置する導電性可視光線透明区域１０１の説明に使用するための軸系を例示する。一般に、表示デバイスの場合、ｘ軸及びｙ軸はディスプレイの幅及び長さに対応し、ｚ軸は典型的にディスプレイの厚さ（すなわち高さ）方向に沿っている。この取り決めは、特に明記しない限り、全体を通して使用される。図２の軸系において、ｘ軸及びｙ軸は、可視光線透明基材１３０の主表面１３２と平行に定められ、正方形又は矩形表面の幅及び長さ方向に対応し得る。ｚ軸は、この主表面と垂直であり、典型的には可視光線透明基材１３０の厚さ方向に沿っている。導電性微小パターン１４０を形成する複数の線形金属構造の幅は、ｙ軸に沿って直線的に延びる平行の線形金属構造のｘ方向の間隔に相当し、直交する線形金属構造のｙ方向の間隔は、直交する線形金属構造の幅に相当する。線形金属構造の厚さ又は高さは、ｚ方向の距離に対応する。
【００２６】
いくつかの実施形態では、タッチスクリーンパネルの接触感知領域内に位置する導電性可視光線透明区域１０１は、それぞれが導電性微小パターン１４０を有する、可視光線透明基材１３０の２つ以上の層を含む。
【００２７】
導電性微小パターン１４０は、主表面１３２上に堆積される。センサは、ディスプレイと連動して、タッチスクリーンディスプレイ、又はタッチパネルディスプレイを形成すべきなので、基材１３０は、可視光線透明であり、実質的に平面である。基材及びセンサは、実質的に平面で可撓性であってもよい。可視光線透明とは、ディスプレイによって描写される情報（例えば、文字、画像、又は図面）を、タッチセンサを通して見ることができることを意味する。光を遮蔽するのに十分厚い厚さで堆積された金属であっても、金属が適切な微小パターンで堆積されれば、堆積された金属の形態での導電体を含むタッチセンサにおいて視認性及び透明性を実現することができる。
【００２８】
導電性微小パターン１４０は、情報を描写するディスプレイの可視部分に重なる、少なくとも１つの可視光線透明導電性区域を含む。可視光線透明導電とは、ディスプレイの一部を導電性微小パターンの区域を通して閲覧することができ、微小パターンの区域がパターンの平面内で、つまり、導電性微小パターンが堆積され、それと隣接する基材の主表面に沿って導電性であることを意味する。好ましい導電性微小パターンは、二次元メッシュを有する区域、例えば、正方形グリッド、矩形（非正方形）グリッド、又は規則的な六角形ネットワークを含み、導電トレースは、メッシュのトレースと電気的に接触している導電体が堆積していない、メッシュ内の囲まれた開放領域を画定する。開放空間及びその端部の関連した導電体トレースは、本明細書においてセルと呼ばれる。メッシュセルの他の有用な構成としては、ランダムなセル形状及び不規則な多角形が挙げられる。
【００２９】
いくつかの実施形態では、導電性微小パターンを画定する導電トレースは、５つの隣接するセル、好ましくは４つの隣接するセル、より好ましくは３つの隣接するセル、更により好ましくは２つの隣接するセルの合わせた縁部の長さよりも長い距離にわたって略直線である線分を含まないように設計される。より好ましくは、微小パターンを画定するトレースは、単一のセルの縁部の長さよりも長い距離にわたって直線である線分を含まないように設計される。したがって、いくつかの実施形態では、微小パターンを画定するトレースは、長い距離、例えば、１０センチメートル、１センチメートル、又は更に１ミリメートルにわたって直線ではない。このように、最短の長さの直線線分を有するパターンは、ディスプレイの視認性に極めてわずかしか障害を生じさせないという利点を有するタッチスクリーンセンサに特に有用である。
【００３０】
導電性微小パターンの二次元形状（即ち、平面内、つまり基材の主表面に沿ったパターンの形状）は、導電体材料の光学的及び電気的特性を考慮して設計し、タッチスクリーンセンサにおいて有用である、特別な透明導電特性を達成することができる。例えば、導電体材料の連続的な（パターン化されていない）堆積物又はコーティングは、そのバルク抵抗率をその厚さで除して計算されるシート抵抗を有する一方で、本発明においては、異なるシート抵抗値は、導電体を微小パターン化することによっても設計される。
【００３１】
いくつかの実施形態では、二次元の導電性微小パターンは、センサの導電性区域（例えば、可視光線透明導電性区域）内の異方性シート抵抗を達成するように設計される。異方性シート抵抗とは、直交する二方向に沿って測定又はモデル化した際に、導電性微小パターンのシート抵抗の大きさが異なることを意味する。
【００３２】
対照的に、いくつかの実施形態では、二次元の導電性微小パターンは、センサの導電性区域（例えば、可視光線透明導電性区域）における等方性シート抵抗を達成するように、設計される。等方性シート抵抗とは、平面内で直交する任意の二方向に沿って測定又はモデル化した際に（双方向において一定の幅のトレースで形成される正方形のグリッドの場合と同様に）、導電性微小パターンのシート抵抗の大きさが同じであることを意味する。
【００３３】
区域内の異方性シート抵抗は、一方向において、直交する方向のシート抵抗よりも少なくとも１０パーセント高い、又は少なくとも２５パーセント高い、少なくとも５０パーセント高い、少なくとも１００パーセント高い、少なくとも２００パーセント高い、少なくとも５００パーセント高い、又は更には少なくとも１０倍高いシート抵抗を含むことができる。いくつかの実施形態では、区域内の異方性シート抵抗は、一方向において、直交する方向のシート抵抗よりも、少なくとも１．５倍高いシート抵抗を含む。いくつかの実施形態では、区域内の異方性シート抵抗は、一方向において、直交する方向のシート抵抗よりも、１．１〜１０倍、他の実施形態では、１．２５〜５倍、及び更に別の実施形態では、１．５〜２倍大きいシート抵抗を含む。
【００３４】
異方性シート抵抗を生じ得る導電性微小パターン形状の例は、導電トレースの幅が一定である、略矩形（非正方形）の微小グリッドである。かかる矩形微小グリッド（非正方形）では、異方性シート抵抗は、他方よりも１０パーセント長い、他方よりも２５パーセント長い、他方よりも少なくとも５０パーセント長い、他方よりも１００パーセント長い、又は更に他方よりも１０倍長い一縁部を含む、グリッドのセルの反復形状から生じ得る。異方性シート抵抗は、様々な方向でトレースの幅を変えることによって（例えば、別の、非常に対称的なメッシュのセルのパターンで）、生成することができる。異方性シート抵抗を生成するための後者の手法の例は、例えば、２００マイクロメートルのピッチを有する導電トレースの正方形グリッドであり、第１の方向におけるトレースは１０マイクロメートルの幅であり、直交する方向のトレースは、９マイクロメートル幅、７．５マイクロメートル幅、５マイクロメートル幅、又は更に１マイクロメートル幅である。区域内の異方性シート抵抗は、平行な導電線のパターンによって生じるように、一方向の有限な測定可能なシート抵抗、及び他方向の実質的に無限のシート抵抗を含み得る。上記のように、いくつかの実施形態では、区域内の異方性シート抵抗は、第１の方向において有限の測定可能なシート抵抗、及び第１の方向と直交する方向における有限の測定可能なシート抵抗を含む。
【００３５】
導電性微小パターンの区域が等方性であるか又は異方性であるかを決定する目的で、関連する特性の測定又は計算を行うために、微小パターンの規模に対する関心の区域の規模が、合理的に選択されなくてはならないことを、当業者は理解するであろう。例えば、仮にも一度導電体がパターン化されると、測定を行う位置及び規模を選択して、測定の異なる方向に対して、シート抵抗の差異がでるのは、些細なことである。以下の詳細な実施例により、この点をより明確にすることができる。１００マイクロメートル幅の導電体トレース、及び１ミリメートルのピッチ（グリッド内で９００マイクロメートル×９００マイクロメートルの正方形開口部となる）を有する正方形グリッドの形態をなす等方性形状の導電体パターンを想定し、正方形開口部の縁部に沿ったトレースのうちの１つの中のシート抵抗について４点プローブ測定法を行い、プローブは、４つの直線状に配置されたプローブに沿って２５マイクロメートルの一定間隔を有する（２つの電流プローブ間、外側のプローブの間の間隔が７５マイクロメートルとなる）ものと想定すると、プローブがトレースと平行に整列されたか又はトレースと直交するように整列されたかに応じて、異なるシート抵抗値が、電流及び電圧の測定値によって算出される。これにより、正方形グリッド形状が、正方形グリッドセルサイズよりも大きな規模の等方性シート抵抗を生じるにも拘わらず、シート抵抗を測定すると、異方性を示すことがある。これにより、本開示における、導電性微小パターン（例えば、メッシュを含む微小パターンの可視光線透明導電性区域）のシート抵抗の異方性を規定するために、シート抵抗が測定又はモデル化されるべき、関連する尺度は、メッシュのセルの長さ尺度よりも大きく、好ましくは２つのセルの長さ尺度よりも大きい。いくつかの場合においては、シート抵抗は、メッシュの中の５つ以上のセルの長さ尺度にわたって測定又はモデル化され、メッシュがそのシート抵抗において異方性であることを示す。
【００３６】
導電性微小パターンが、区域内でシート抵抗の異方性を呈する実施形態とは対照的に、透明導電性酸化物薄膜（例えば、酸化インジウムスズ、即ち、ＩＴＯ）を含むセンサは、導電体の隣接する区域において等方性シート抵抗を呈する。後者の場合、隣接する区域のシート抵抗についての４点プローブ測定法を、様々な方向で、プローブ間の間隔を小さくして行うので、様々な方向における電流及び電圧の同じ読取り値が、明確に等方性を示すことを測定、又はモデル化することができる。
【００３７】
いくつかの実施形態では、二次元導電性微小パターンは、所定の方向で測定された際に、センサの２つの異なるパターン化された導電体区域において、異なる水準又は規模のシート抵抗を達成するように設計される。例えば、異なる水準のシート抵抗に関し、２つのうちより高い方が、より低い方よりも１．２５倍超、１．５倍超、２倍超、５倍超、１０倍超、又は更に１００倍超大きいことがある。いくつかの実施形態では、２つのシート抵抗値のうちのより高い方が、より低い方よりも１．２５〜１０００倍、他の実施形態では、１．２５〜１００倍、他の実施形態では、１．２５〜１０倍、他の実施形態では、２〜５倍大きい。ある区域が、別の区域のものと異なるシート抵抗を有するものとみなされるためには、これは、他の区域のシート抵抗より、少なくとも１．１倍大きいか又は小さいシート抵抗を有する。
【００３８】
いくつかの実施形態では、微小パターンは、電気的に隣接する、パターン化された２つの導電体区域に対して、前述の様々なシート抵抗値を実現するように設計されており、つまり、これらは、これらの境界に沿って互いに電気的に接触しているパターン化された導電体区域である。導電境界を共有する、パターン化された２つの導電体区域はそれぞれ、均一な、それぞれのパターン形状を有し得るが、やはり異なってもよい。いくつかの実施形態では、微小パターンは、電気的に接触していない２つの異なるパターン化された導電体区域の、様々なシート抵抗値を達成するように設計されており、即ち、これらは、パターン化された区域が境界に沿って電気的に接触しているこれらの間に境界を共有しない、パターン化された導電体区域である。それらの間に導電境界を共有しない、パターン化された２つの導電体区域はそれぞれ、均一な、それぞれのパターン形状を有し得るが、やはり異なってもよい。電気的に接触していない区域について、これら双方が、同じ固体導電体要素、例えば、バスバー又はパッドに、このパターンで電気的に接触することは、本開示の範囲内である。いくつかの実施形態では、微小パターンは、互いに電気的に絶縁された２つの区域において、様々なシート抵抗値を達成するように設計されるので、電気信号によって独立して対処することができる。電気的に絶縁された２つのメッシュ区域はそれぞれ、均一なパターン形状を有し得るが、やはり異なってもよい。最後に、いくつかの実施形態では、微小パターンは、例えば、電気的に隣接する２つの区域の第１区域から第２区域へと連続的に変化するシート抵抗を生成することにより、２つの異なる区域において、様々なシート抵抗値を達成するように設計される。
【００３９】
定方向において異なるシート抵抗を有する２つの区域を含む二次元導電性微小パターンは、この区域に関して好ましいシート抵抗値（例えば、５〜１００Ω／スクエアの低いシート抵抗）を有する、感知領域内の可視光線透明導電性区域（変化する、又は異方性のシート抵抗を任意に含む）の設計、及び感知領域内に位置してもしなくてもよいタッチスクリーンセンサの部分としての、電気素子、例えばレジスタ素子の設計に有用であり、レジスタ素子は、レジスタ機能のために最適に選択されるシート抵抗（例えば、１５０〜１０００Ω／スクエアのより高いシート抵抗）を有するシート導電体を含み、場合により他の設計制約、例えばレジスタの占有面積の最小化による制約を考慮する。
【００４０】
上記のように、測定又はモデル化し得る有限なシート抵抗を有する区域及び方向における導電性微小パターンのシート抵抗は、０．０１Ω／スクエア〜１メガΩ／スクエアの範囲、又は０．１〜１０００Ω／スクエアの範囲、又は１〜５００Ω／スクエアの範囲にあり得る。いくつかの実施形態では、導電性微小パターンのシート抵抗は、１〜５０Ω／スクエアの範囲にある。他の実施形態では、導電性微小パターンのシート抵抗は、５〜５００Ω／スクエアの範囲にある。他の実施形態では、導電性微小パターンのシート抵抗は、５〜１００Ω／スクエアの範囲にある。他の実施形態では、導電性微小パターンのシート抵抗は、５〜４０Ω／スクエアの範囲にある。他の実施形態では、導電性微小パターンのシート抵抗は、１０〜３０Ω／スクエアの範囲にある。導電性微小パターン又は導電性微小パターンの区域を特徴付け得るシート抵抗の指示において、微小パターン又は微小パターンの区域は、それが、シート抵抗値を、任意の方向における電気伝導において有する場合、所定の値のシート抵抗を有するものとされる。
【００４１】
センサの透明性、及びセンサを通じたディスプレイの視認性を実現するための導電体の適切な微小パターンは、一定の特質を有する。まず、これを通じてディスプレイが見られる導電性微小パターンの区域は、導電体によって遮蔽される、５０％未満、又は２５％未満、又は２０％未満、又は１０％未満、又は５％未満、又は４％未満、又は３％未満、又は２％未満、又は１％未満、又は０．２５％〜０．７５％の範囲、又は０．５％未満のセンサの面積率を有するべきである。
【００４２】
導電体微小パターン、又は導電性微小パターンの区域の開放面積率（又は開放面積若しくは開放面積の比率）は、導電体によって遮蔽されない微小パターン面積、又は区域面積の割合である。開放面積は、１から、導電体によって遮蔽される面積率を引いたものに相当し、少数又は百分率として、都合よく及び互換性があるようにして表現することができる。導電体によって遮蔽される面積率は、微小パターン化された導電体の線の密度と互換性があるようにして使用される。微小パターン化された導電体は、電気的に導電性の微小パターン及び導電性微小パターンと互換性があるようにして使用される。これにより、導電体によって遮蔽される割合に関して上の文章で示された値に関し、開放面積値は、５０％超、７５％超、８０％超、９０％超、９５％超、９６％超、９７％超、９８％超、９９％超、９９．２５〜９９．７５％、９９．８％、９９．８５％、９９．９％、及び更に９９．９５％である。一部の実施形態では、導電体微小パターンの領域の開放面積（例えば、可視光線透明導電性領域）は、８０％〜９９．５％であり、他の実施形態では９０％〜９９．５％であり、他の実施形態では、９５％〜９９％であり、他の実施形態では、９６％〜９９．５％であり、他の実施形態では、９７％〜９８％であり、他の実施形態では、最大９９．９５％である。実用的な製造方法を使用した、有用な光学特性（例えば、高透過率及び導電パターン要素の不可視性）、及び電気的特性を再現可能に実現することに関し、開放面積の好ましい値は、９０〜９９．５％、より好ましくは９５〜９９．５％、最も好ましくは９５〜９９．９５％である。
【００４３】
ディスプレイのピクセルパターンとの干渉をできるだけ小さくし、ユーザー又は閲覧者が裸眼によってパターン要素（例えば、導電体の線）を視認しないように、導電パターン要素の最小寸法（例えば、線又は導電トレースの幅）は、およそ５０マイクロメートル以下、又はおよそ２５マイクロメートル以下、又はおよそ１０マイクロメートル以下、又はおよそ５マイクロメートル以下、又はおよそ４マイクロメートル以下、又はおよそ３マイクロメートル以下、又はおよそ２マイクロメートル以下、又はおよそ１マイクロメートル以下、又は約０．５マイクロメートル以下であるべきである。
【００４４】
いくつかの実施形態では、導電パターン要素の最小寸法は、０．５〜５０マイクロメートル、他の実施形態では、０．５〜２５マイクロメートル、他の実施形態では、１〜１０マイクロメートル、他の実施形態では、１〜５マイクロメートル、他の実施形態では、１〜４マイクロメートル、他の実施形態では、１〜３マイクロメートル、他の実施形態では、０．５〜３マイクロメートル、及び他の実施形態では、０．５〜２マイクロメートルである。有用な光学特性（例えば、裸眼による導電パターン要素の高い透過率及び非視認性）、及び電気的特性を再現可能に実現することに関し、実用的な製造方法の使用による制約を考慮すると、導電パターン要素の最小寸法の好ましい値は、０．５〜５マイクロメートル、より好ましくは１〜４マイクロメートルであり、最も好ましくは１〜３マイクロメートルである。
【００４５】
一般的に、堆積された導電性材料は、望ましくないことに、タッチセンサの光透過率を低減する。基本的に、堆積された導電性材料が存在するいずれの場所でも、そのユーザーによる可視性に関して、ディスプレイは遮蔽される。導電体材料によって生じる減衰の程度は、導電体微小パターン内の導電体によって被覆されるセンサ又はセンサ区域の面積率に比例する。
【００４６】
一般的に、透明タッチスクリーンセンサは、低いヘイズ値を呈することが望ましい。ヘイズとは、例えば、Ｈａｚｅ−Ｇａｒｄ機器（Ｈａｚｅ−Ｇａｒｄ  ｐｌｕｓ，ＢＹＫ  Ｇａｒｄｎｅｒ，Ｃｏｌｕｍｂｉａ，Ｍａｒｙｌａｎｄ）により測定される、光が媒体を通過する際のその分散に関する特性を指す。いくつかの実施形態では、タッチスクリーンセンサは、１０％未満、いくつかの実施形態では５％未満、いくつかの実施形態では４％未満、いくつかの実施形態では３％未満、いくつかの実施形態では２％未満のヘイズを呈する。導電体微小パターンを含む区域に対する、高い透過率（可視光線透過性とも称される）、低いヘイズ、及び低い導電体トレース視認性の望ましい組み合わせを実現する実施形態が開示される。これにより、導電体微小パターンは、感知領域又はタッチスクリーンセンサディスプレイの区域の一部として使用する場合（例えば、微小パターンをディスプレイの可視区域にオーバーレイする場合）に特に有用である。
【００４７】
いくつかの実施形態では、例えば、導電性材料の不均一なメッシュから生じる、シート抵抗の不均一な分布が存在したとしても、可視ディスプレイ領域にわたって均一な光透過性を有する可視光線透明ディスプレイセンサを生成するために、センサは、パターン全体の光透過性の均一性を維持するように機能する、導電性微小パターンに付加された絶縁された導電体堆積物を含む。かかる絶縁された導電体堆積物は、センサの駆動デバイス（例えば、電気回路又はコンピュータ）に接続されず、これにより電気的機能を提供しない。例えば、３マイクロメートルの線幅及び２００マイクロメートルのピッチの正方形グリッド形状のメッシュを有する第１区域（金属により面積の３％が遮蔽されている、即ち、９７％の開放面積）、並びに３マイクロメートルの線幅及び３００マイクロメートルのピッチの正方形グリッド形状のメッシュを有する第２区域（金属により面積の２％が遮蔽されている、即ち、９８％の開放面積）を含む金属導電体微小パターンは、３００マイクロメートルピッチのグリッド区域の開放セルそれぞれの内部に、１００個の等間隔の３マイクロメートル×３マイクロメートルの正方形の金属導電体をパターンで含めることにより、２つの区域にわたるその平均光透過率を光学的に均一にすることができる。１００個の３マイクロメートル×３マイクロメートルの正方形（９００平方マイクロメートル）は、各３００マイクロメートル×３００マイクロメートルのセル（９００００平方マイクロメートル）において、面積を更に１パーセント遮蔽し、これにより、第２区域の平均光透過率を、第１区域の平均光透過率と等しくする。透明導電性区域及びそれらの間の空間の区域を含む、センサにわたる光透過性の均一性を維持するために、隣接する透明導電性区域（例えば、二次元のメッシュ又はネットワークの形態の微小パターン化された導電体を含む隣接する透明導電性区域）の間の空間の区域に、同様の絶縁金属構造を加えることができる。絶縁された正方形の導電体に加えて、光学的均一性を調整するための、他の有用な絶縁された導電体堆積物としては、円及び線が挙げられる。電気的に絶縁された堆積物の最小寸法（例えば、正方形構造の縁部長さ、円形構造の直径、又は線状構造の幅）は、１０マイクロメートル未満、５マイクロメートル未満、２マイクロメートル未満、又は更には１マイクロメートル未満である。
【００４８】
実用的な製造方法を使用する、有用な光学特性（例えば、導電パターン要素の高透過率、及び非視認性）を再現可能に実現することに関し、電気的に絶縁された堆積物の最小寸法は、好ましくは０．５〜１０マイクロメートル、より好ましくは０．５〜５マイクロメートル、更により好ましくは０．５〜４マイクロメートル、更により好ましくは１〜４マイクロメートル、最も好ましくは１〜３マイクロメートルである。いくつかの実施形態では、電気的に絶縁された導電体堆積物の配置は、周期性がないように設計される。周期性の欠如は、下部のディスプレイの周期的ピクセルパターンとの、不都合な可視的な相互作用を制限するために、好ましい。電気的に絶縁された導電体堆積物の集合が周期性を欠くためには、堆積物を有し、デコード、又は信号生成及び／若しくは処理電子機器に接続する微小パターン要素を欠く区域にわたり、堆積物の少なくとも一部の本来ならば周期性を有する配置に対して単一の障害が存在するだけでよい。かかる電気的に絶縁された導電体堆積物は、非周期的な配置を有するとされる、即ち電気的に絶縁された導電体堆積物の非周期的な配置であるとされる。いくつかの実施形態では、電気的に絶縁された導電体堆積物は、例えば、５マイクロメートルの縁部長さを有する正方形堆積物の対向する面において存在するような、１０マイクロメートル未満の間隔で離れた直線的で平行な縁部を欠くように設計される。より好ましくは、絶縁された導電体堆積物は、５マイクロメートル、より好ましくは４マイクロメートル、更により好ましくは３マイクロメートル、更により好ましくは２マイクロメートル未満の間隔で離れた直線的で平行な縁部を欠くように設計される。直線的で平行な縁部を欠く電気的に絶縁された導電体堆積物の例は、楕円形、円形、五角形、七角形、及び三角形である。電気的に絶縁された導電体堆積物の設計内に、直線的で平行な縁部がないことにより、センサと一体化するディスプレイの視認性を阻害し得る光回折アーチファクトを最小化するように機能する。
【００４９】
導電体微小パターンの、光学的均一性に対する影響は、数量化することができる。ディスプレイの可視区域にオーバーレイする、センサ、したがって導電体微小パターンの合計面積が、１ミリメートル×１ミリメートル区域の配列へとセグメント化される場合、好ましいセンサは、いずれの区域も全区域の平均から７５％超異なる遮蔽面積率を有さないような導電体微小パターンを含む。より好ましくは、いずれも５０パーセント超異なる遮蔽面積率を有さない。より好ましくは、いずれも２５パーセント超異なる遮蔽面積率を有さない。更により好ましくは、いずれも１０パーセント超異なる遮蔽面積率を有さない。ディスプレイの可視区域に重なるセンサ、したがって導電体微小パターンの合計面積が、５ミリメートル×５ミリメートル区域の配列へと区分化される場合、好ましいセンサは、いずれの区域も全区域の平均から５０％超異なる遮蔽面積率を有さないような導電体微小パターンを含む。好ましくは、いずれも５０パーセント超異なる遮蔽面積率を有さない。より好ましくは、いずれも２５パーセント超異なる遮蔽面積率を有さない。更により好ましくは、いずれも１０パーセント超異なる遮蔽面積率を有さない。
【００５０】
本開示では、有利なことに、透明導電性酸化物（ＴＣＯ）、例えば、ＩＴＯとは対照的に、透明導電センサの導電性材料として金属の使用が可能とする。ＩＴＯは、例えば、ある構成体における腐食に関係する分解、撓んだときに割れる傾向、１００未満〜１０００Ω／スクエアのシート抵抗を有するコーティングとして堆積された際の透過光の大幅な減衰（反射及び吸収による）、及びインジウムの希少性による費用の増加などの、いくつかの欠点を有する。ＩＴＯはまた、均一かつ再現可能な電気的特性を有するように堆積することが困難であるので、タッチスクリーンセンサを構成する導電パターンに連結する、より複雑かつ高価な電子機器が必要となる。
【００５１】
導電性微小パターンを形成するために有用な金属の例としては、金、銀、パラジウム、プラチナ、アルミニウム、銅、ニッケル、すず、合金、及びこれらの組み合わせが挙げられる。いくつかの実施形態では、導電体は、透明導電性酸化物である。いくつかの実施形態では、導電体はＩＴＯである。導電体は、５ナノメートル〜５マイクロメートル、又は１０ナノメートル〜５００ナノメートル、又は１５ナノメートル〜２５０ナノメートルの厚さを有し得る。いくつかの実施形態では、導電体の厚さは１マイクメートル未満である。当該技術分野において既知であるように、導電体の望ましい厚さは、望ましいシート抵抗から始まり、微小パターン形状（及び、ひいては平面の通電断面への影響）、及び導電体のバルク抵抗率を考慮することによって算出され得る。微小パターンの複雑な形状の場合、当該技術分野では計算法、例えば、シート抵抗を算出するのに使用可能な有限差分法又は有限要素法があり、本明細書においては、微小パターンの特性のモデル化と称される。当該技術分野において既知であるように、シート抵抗は、４点プローブ技法及び非接触渦電流方法などの多数の技法を使用して測定することができる。
【００５２】
本発明のセンサと一体化可能な有用なディスプレイの例としては、液晶ディスプレイ、ブラウン管ディスプレイ、プラズマディスプレイパネル、及び有機発光ダイオードディスプレイが挙げられる。
【００５３】
本発明による導電体パターンは、任意の適切なパターン化方法、例えば、エッチングを伴うフォトリソグラフィー、又はめっきを伴うフォトリソグラフィー（例えば、米国特許第５，１２６，００７号、同第５，４９２，６１１号、同第６，７７５，９０７号を参照）を含む方法によって生成することができる。加えて、導電体パターンは、他のいくつかの代表的な方法（それぞれ、以下でより詳細に説明する）の１つを利用して作製することができる。
１．レーザー硬化マスキング（金属フィルム上のマスク層の硬化、及び次にエッチング）
２．（マスキング材料又は後続の金属めっきのための種材料の）インクジェット印刷
３．（後続の金属めっきのための種材料の）グラビア印刷
４．微小複製（基材中に微小溝を形成し、次に導電性材料又は後続の金属めっきのための種材料を充填する）、又は
５．マイクロコンタクト印刷（基材表面上の自己組織化単分子膜（ＳＡＭ）パターンのスタンピング又は輪転印刷）。
【００５４】
高容量、高解像度印刷方法を利用することにより、一般的に、導電性要素の正確な配置を可能にし、また、市販のディスプレイピクセルと適合する規模の微小導電体の（擬似ランダム）変動を可能にし、本来ならば生じ得る光学的異常（例えば、モアレパターン）を制限する。
【００５５】
本明細書で説明するいくつかの実施形態は、平坦な面の「ワイヤ状」導電体を利用してもよく、これは、透明導電体を利用する既存のセンサよりも高い光透過率を可能にする。これらの平坦な面の「ワイヤ状」導電体は、いくつかの実施形態では、既存の円形ワイヤ手段で可能であるよりも優れた導電体配置の拡張性及び制御を付与する。本明細書で記載される微小導電体は、１０マイクロメートル以下の最大断面寸法を有する導電体を含む。多くのセンサ用途において、３マイクロメートル未満が好ましい。マスキング及びエッチングを利用する方法は、典型的には、低いアスペクト比（０．０５〜０．５μｍ厚さ×１μｍ〜１０μｍ幅）の微小導電体を生成する。微小複製された溝は、最大で１：１を超える、より高いアスペクト比の微小導電体を生成し得る。
【００５６】
レーザー硬化マスキングを使用し、紫外線レーザーでパターンを選択的に硬化することによって、微小導電体を作製することができる。かかるプロセスは、典型的には、フィルム（例えば、ＰＥＴ）系基材又はガラス系基材のいずれかで機能する。代表的なレーザー硬化マスキングプロセスは、以下の工程を含み得る。
１．基材を金属でめっきする（例えば、銀又は銅を、ガラス又はＰＥＴフィルムの上にスパッタコーティングする）。
２．紫外線硬化性マスキングインクを、めっきされた基材上に均一にコーティングする（例えば、スピンコーティング、及びディップコーティング）。
３．レーザーにより印刷されたインクの一部を硬化して、タッチセンサの活性領域内に微小導電体電極を形成し、また、電極をコネクタパッドに相互接続させる（より幅広い）線を硬化してもよい（レーザーのビーム幅は、フォトマスクによって減少させてもよい）。
４．未硬化インクを除去する（洗い落とす）。
５．マスキングインクの下のパターンを除いて、基材上にめっきされた金属をエッチングにより除去する。
【００５７】
比較的に幅の広い線を使用して、種インク（触媒インク）の望ましいパターンを印刷し、続いて紫外線レーザーで選択的に硬化する（上記のレーザー硬化マスキングプロセスと同様）ことにより、種インクのインクジェット印刷及びめっきを使用して微小導電体を作製することができる。このプロセスのための基材は、フィルム（例えば、ＰＥＴ）又はガラスのいずれかであり得る。
【００５８】
図３ａ、及び図３ｂは、このようなプロセスを示す。
１．種インク６６を、基材６７上にインクジェット印刷する。
２．レーザー６５により印刷されたインクの一部を硬化してタッチセンサの活性領域に微小導電体電極６８を形成し、また、電極をコネクタパッドに相互接続させる（より幅広い）線を硬化してもよい（レーザーのビーム幅は、フォトマスクによって減少させてもよい）。
３．未硬化インクを除去する（洗い落とす）。
４．種インクの硬化パターンは、無電解めっきされる（導電性金属で）。
【００５９】
インクジェット印刷プロセスは、使用するインクの量を最小限にするため、インクが高価な場合（例えば、種インク）に検討するべきである。インクが比較的安価である場合、インクジェット印刷は、基材全体を均一にコーティングする別のプロセス（例えば、スピンコーティング、又はディップコーティング）に代えることができる。上記種インクプロセスのインクジェット印刷及びめっき用のインク材料並びにこれらのための処理は、Ｃａｒｃｌｏ  Ｔｅｃｈｎｉｃａｌ  Ｐｌａｓｔｉｃｓ，Ｃａｍｂｒｉｄｇｅ，ＵＫから入手可能である。
【００６０】
グラビア印刷は、印刷される画像が、ドラム上で回転する金属プレートに「エッチング」されることを必要とする。ドラムが回転すると、エッチングされた表面にインクが充填され、これは次に、インクを充填されたエッチングプレートとフィルムが互いに接触するとき印刷される、フィルムの表面上に堆積される。このプロセスは、図４で略図化されており、これはフィルム基材７６が、インク槽７３からのインクライン７４で印刷されているのを示す。圧胴７０は、インク槽７３からのインクで充填されるエッチング７２を有する、印刷ドラム７５に接して回転する。このようなプロセスは、後の処理のためのストック材料を作るために使用することができ、又は高容量センサの特定のＸ又はＹ構成要素を作製するために使用され得る。
【００６１】
種インク（又は触媒インク）は、上記の方法のいずれかによって印刷され得る。印刷及び硬化の後、インクを銅などの金属で無電解めっきして、高伝導度を得ることができる。種インク製造業者としては、Ｃａｒｃｌｏの一部門でありＣａｍｂｒｉｄｇｅ，ＵＫにあるＣｏｎｄｕｃｔｉｖｅ  Ｉｎｋｊｅｔ  Ｔｅｃｈｎｏｌｏｇｙ及びＦａｒｎｂｏｒｏｕｇｈ，ＥｎｇｌａｎｄのＱｉｎｅｔｉＱ  Ｃｏｍｐａｎｙが挙げられる。ニューメキシコ州アルバカーキのＣａｂｏｔ  Ｐｒｉｎｔａｂｌｅ  Ｅｌｅｃｔｒｏｎｉｃｓ  ａｎｄ  Ｄｉｓｐｌａｙｓはインクジェット印刷可能な銀導電性インクを製造する。
【００６２】
微小複製は、微小導電体を形成するのに使用することができる、更に別のプロセスである。図５の図は、充填された又は部分的に充填された、微小複製されたチャネルの断面図を示す。チャネルは、種インク８１で充填され、次にこれらを導電性にするために、めっきされてもよい（金属化層８０参照）。あるいは、チャネルには、それ自体が導電性であるインクが充填されてもよく、めっきプロセスの必要性を排除する。第３の代替手段は、基材を金属でコーティングし、次に溝の（底部の）金属の部分をマスキングし、次にマスキングされていない金属をエッチングして取り去ることである（例えば、米国特許出願第６１／０７６７３１号（「Ｍｅｔｈｏｄ  ｏｆ  Ｆｏｒｍｉｎｇ  ａ  Ｍｉｃｒｏｓｔｒｕｃｔｕｒｅ」）、及び同第６１／０７６７３６号（「Ｍｅｔｈｏｄ  ｏｆ  Ｆｏｒｍｉｎｇ  ａ  Ｐａｔｔｅｒｎｅｄ  Ｓｕｂｓｔｒａｔｅ」）を参照）。チャネルの実際の形状が変更されて、断面形状、及び最低水準の光学的干渉を提供する寸法を最適化し、一方で依然として高い伝導度及び高い生産収率を確実にすることができる。
【００６３】
充填された微小複製されたチャネルは、（マスキングされた金属フィルムに対して）高いアスペクト比の断面を有する導電体を提供することができる。これにより、最大伝導度が、最低の光学的可視性と共に達成され得る（見る方向において小さい横断面）。微小複製されたチャネルを充填する方法、及び高いアスペクト比を有するチャネルの望ましい形状は、同一出願人による米国特許出願第ＵＳ２００７／０１６０８１１号（Ｇａｉｄｅｓら）に記載されている。
【００６４】
図６は、その幅よりも深い微小複製された電極を有する、高いアスペクト比の接触表面の断面形状を示す。一実施形態では、１：１を超える深さ対幅の比を有する微小複製された構造により、より優れた性能が得られるであろう。一般的に、より狭い幅の微小複製された構造は、より多くの光がディスプレイを出て、タッチセンサを通過することを可能にする。更に、幅よりも深さのあるチャネルは、第１の表面からセンサに入る光の反射を制限する表面積を低減する。これらの利点が得られる一方で、静電容量信号は失われない。図６は、指８５による、上面だけではなくセンサの側部への、タッチセンサ８６の印刷された銅電極８７の容量結合を示す。
【００６５】
マイクロコンタクト印刷は、微小導電体を形成するのに使用することができる、更に別のプロセスである。マイクロコンタクト印刷は、基材表面上の自己組織化単分子膜（ＳＡＭ）パターンのスタンピング、又は輪転印刷である。この手法は、非常に微細なスケールのパターン（例えば１マイクロメートルの１０分の１のフィーチャサイズ）に対して実行可能で、またパターン化された単層を金属、セラミックス、及びポリマーのパターン化に拡張可能な能力を含む、いくつかの技術的に重要な特徴を示す。
【００６６】
代表的なマイクロコンタクト印刷プロセスは、以下の通りである。
１．基基材を金属でコーティングする（例えば、銀又は銅を、ガラス又はＰＥＴフィルム上にスパッタコーティング又はめっきする）。
２．自己組織化単分子膜のマスクが、めっきされた基材にスタンピングされる。
３．マスクの下のパターンを除いて、基材にコーティングされた金属がエッチングにより除去される。
【００６７】
マイクロコンタクト印刷プロセスは、例えば、米国特許第５，５１２，１３１号（Ｋｕｍａｒ）、及び同時係属の３Ｍ特許出願第６１／０３２２７３号（「Ｍｅｔｈｏｄｓ  ｏｆ  Ｐａｔｔｅｒｎｉｎｇ  ａ  Ｃｏｎｄｕｃｔｏｒ  ｏｎ  ａ  Ｓｕｂｓｔｒａｔｅ」）に記載される。マイクロコンタクト印刷は、一般的に基材に依存しない。例えば、基材はＰＥＴ、ガラス、ＰＥＮ、ＴＡＣ、又は不透明なプラスチックであってもよい。当該技術分野において既知であるように、マイクロコンタクト印刷は、金属堆積プロセスと組み合わされて、追加のパターン化プロセス（例えば、無電解めっきを含む）を生じる。
【００６８】
図７ａは、小さい静電容量タッチスクリーンのためのマトリックスセンサを示す。２つのパターン（９１及び９２）の電極、相互接続子、及びコネクタパッドが可撓性基材（例えば、ＰＥＴ）上に印刷される。次に、２つのパターンが共に組み合わされて、平行な平面上に２層の電極を形成し、示されるように上部平面上の電極が、下部平面上の導電体と直交する（図７ｂ参照）。場合により、下部電極平面の下にシールド（不図示）が必要とされる。
【００６９】
図７に表されるパターンは、本明細書において記載される方法の１つを使用して印刷してもよく、単一印刷プロセス工程を使用して、電極を形成する＜１０μｍの微小導電体、及び電極からコネクタパッドに信号を伝達する相互接続線（典型的には＞１０μｍ）を同時に印刷し、またコネクタパッド自体も同じ印刷プロセスで形成してもよい。例えば、マイクロコンタクト印刷プロセスを使用して、図２７に関して記載するように、３μｍの微小導電体及び５００μｍの導電トレース７０６のパターンを同時に印刷した。この特定の実施形態は、いくつかの利点をもたらした。
１．電極の相互接続子との位置合わせは自動的であり、かつ非常に正確である。
２．相互接続子を、他の相互接続印刷プロセス（例えば、導電性インクのシルクスクリーン印刷）の場合よりも、遥かに細かくより狭い間隔で印刷することができる。
３．相互接続子の厚さ（基材の平面と垂直）は、従来の相互接続印刷プロセス（例えば、導電性インクのシルクスクリーン印刷）におけるよりも遥かに薄い。厚い相互接続子により、積層された層の間に目に見える空隙が生じ、これは、積層された層の間の密封を弱める場合がある。
【００７０】
図８は、基材９６の表面上の平行な微小導電体９５を有する、微小複製され、充填された「ストック」構成材料を示す。ウェブの配向は、縦（verticle）である（９７）。本明細書において、並びに／又は３Ｍの特許出願第６１／０７６７３１号（「Ｍｅｔｈｏｄ  ｏｆ  Ｆｏｒｍｉｎｇ  ａ  Ｍｉｃｒｏｓｔｒｕｃｔｕｒｅ」）及び同第６１／０７６７３６号（「Ｍｅｔｈｏｄ  ｏｆ  Ｆｏｒｍｉｎｇ  ａ  Ｐａｔｔｅｒｎｅｄ  Ｓｕｂｓｔｒａｔｅ」）に開示されるように、基材は、ＰＥＴ、ＰＥＮ、又はポリカーボネートであってよく、微小導電体が、微小複製された溝に堆積されてもよい。微小導電体の間隔は、一実施形態では、好ましくは、５０μｍ〜５００μｍである。
【００７１】
後印刷された（例えば、インクジェット又はシルクスクリーンによる）導電性インク（本明細書において記載される方法を使用して印刷された）が、いくつかの微小導電体に架橋可能で、選択された微小導電体とのみ接触可能な絶縁クロスオーバーを付与する、印刷された（例えば、インクジェット、又はシルクスクリーンによる）絶縁体を、選択された微小導電体と相互接続することによって、このストック材料は、タッチセンサ構成要素（例えば、電極又はシールド）へと加工され得る。これにより、図９に示すように、センサのための相互接続子及びコネクタパッドが作製され、この図は、絶縁体を通る貫通孔１０００を有するインクジェット印刷された絶縁体表面１００２、及びやはりインクジェットによって印刷された導電トレース１００１を示す。図８及び図９は、基材ウェブの方向に印刷された微小導電体を示すが、場合によっては、基材ウェブと垂直な方向に微小導電体を印刷することが有利である。
【００７２】
図１０は、別々にされた、２層のストック微小複製微小導電体材料、及び後印刷された２層のインクジェット導電トレースから構成されるマトリックスタッチセンサの実施例の断面図を示す。最上層１０１０は微小複製された微小導電体を含み、次の層１０１１は印刷された絶縁体であり、次の層１０１２は後処理された導電体を含み、次の層１０１３は、接着剤であり、次の層１０１４は、後処理された導電体であり、次の層１０１５は印刷された絶縁体であり、最後の層１０１６は、微小複製された微小導電体を含む。
【００７３】
いくつかの実施形態では、本来ならば連続的かつ均一であるメッシュ内において、導電トレースに選択的な断絶部を含めることにより、少なくとも一方向において、異なるシート抵抗を有する透明導電性区域が作られる。断絶部の選択的な配置のこの手法は、物品全体にわたる光学的透過性が一定である可視の透明導電体区域のパターンを含む物品を生成するのに特に有用である。開始メッシュは、等方性又は異方性であり得る。例えば、周期的な一連の断絶部を作ることによって、その長軸に沿って周期的なシート抵抗を呈するように、正方形の微小メッシュを有する細長い矩形の透明導電バーを作製することができ、断絶部は、長軸の方向のベクトル成分を有するトレース内にあり、周期性は、長軸の方向にある。このシート抵抗の周期性は、矩形バー付近の物体（例えば、指）の位置をデコードするのに有用であり得る。断絶部の群と共に、トレースの幅、厚さ、及び面密度を選択することにより、単位長さ当たりの最小値の少なくとも２倍、好ましくはそれらの最小値の少なくとも５倍、より好ましくはそれらの最小値の少なくとも１０倍である、単位長さ当たりの抵抗のピークによって特徴付けられる、透明導電性要素に沿った単位長さ当たりの抵抗の周期的変動を設計することができる。
【００７４】
本来ならば連続的かつ均一であるメッシュに選択的な断絶部を含む他の実施形態では、所定の方向に、ほぼ連続的に変化するシート抵抗を作るために、断絶部が配置され得る。連続的に変化するシート抵抗は、透明導電性要素に沿った電界の非線形性を増幅するのに有用であり得、それ以外では、これは、要素の全体的形状によってのみ作られる。例えば、当該技術分野において既知であるように、頂点と比較してその底辺に電位を印加された、細長い二等辺三角形の形状の、均一なシート抵抗を有する透明導電性要素は、（三角形の狭まる幅によって作られた）電界方向に沿った単位長さ当たりの抵抗の勾配により、底辺から頂点まで非線形電界を呈する。このような三角形の透明導電性要素の交互配置された配列に基づくタッチセンサでは、電界の非線形性が更により大きいことが有利であり、配列付近の物体（例えば指）の位置をデコードするのに使用される回路のより大きな信号対雑音比に繋がる。断絶部の群と共に、トレースの幅、厚さ、及び面密度を選択することにより、透明導電性要素に沿った単位長さ当たりのシート抵抗を設計することができ、これは、１センチメートルの間隔にわたり、少なくとも１．１倍、又は少なくとも１．２倍、又は少なくとも１．５倍、又は少なくとも２倍で増加する。
【００７５】
いくつかの実施形態では、少なくとも一方向において、異なるシート抵抗を有する２つの透明導電性区域は、その２つの区域のそれぞれに、その独自の設計を有する隣接するメッシュを含めることによって作られ、各メッシュは、選択的に配置される断絶部を必ずしも含まない。単一の方向、例えば、図２のｘ方向を通る電流に対するシート抵抗が異なる値となる設計を用いた２つのメッシュの例としては、同じ厚さ（図２のｚ方向の寸法）の同じ導電性材料堆積物を有するが、ｙ方向の単位幅当たりの異なる値の通電断面積（図２のｙ−ｚ平面）を有する、２つのメッシュが挙げられる。かかる一対のメッシュ区域の一例は、２つの正方形グリッド区域であり、それぞれが幅２マイクロメートルの導電トレースを備えるが、異なるピッチ、例えば１００マイクロメートル及び２００マイクロメートルのピッチを有する。かかる一対のメッシュ区域の別の例は、２つの矩形グリッド区域（一方向において１００マイクロメートルピッチ、直交方向において２００マイクロメートルピッチを有する非正方形）であり、それぞれが幅２マイクロメートルの導電トレースを備えるが、異なる配向である（例えば、第１区域の矩形セルの長軸が、第２区域の矩形セルに対して９０°に配向されている）。
【００７６】
いくつかの実施形態では、センサは、導電体のパターンを支持する絶縁可視光線透明基材層を含み、パターンは、可視光線透明微小パターン区域、及び透明ではないより大きな構造を有する区域を含み、可視光線透明微小パターン区域、及びより大きな構造区域は、ほぼ同じ厚さで同じ導電体（例えば、金属）からなるパターン化された堆積物を含む。より大きな構造は、可視光線透明導電性微小パターン区域と接触するための幅の広い導電トレース、又は電子的デコード、信号生成、若しくは信号処理デバイスと接触するためのパッドの形態をとり得る。同じ絶縁層上の、可視光線透明導電性微小パターン区域との組み合わせにおいて有用な、より大きな構造の幅は、例えば、２５マイクロメートル〜３ミリメートル、２５マイクロメートル〜１ミリメートル、２５マイクロメートル〜５００マイクロメートル、２５マイクロメートル〜２５０マイクロメートル、又は５０マイクロメートル〜１００マイクロメートルである。
【００７７】
１つの例示的なタッチスクリーンセンサは、可視光線透明基材と、可視光線透明基材の上又は中に配置される導電性微小パターンとを含む。微小パターンは、接触感知領域内の第１区域微小パターン、及び第２区域微小パターンを含む。導電性微小パターンは、５００ナノメートル未満の厚さ、及び０．５〜５マイクロメートルの幅を有する、金属の線形導電性構造を含む。第１区域微小パターンは、第１の方向において５〜５００Ω／スクエアの第１シート抵抗値を有し、可視光線透明性であり、９５％〜９９．５％の開放面積を有する。第２区域微小パターンは、第１の方向において、第２シート抵抗値を有し、これは、第１シート抵抗値とは異なる。
【００７８】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び０．５〜５マイクロメートルの幅を有する、金属の線形導電性構造を含む。第１区域微小パターンは、直交方向において、少なくとも１．５倍のシート抵抗値の差を有する異方性第１シート抵抗を有し、可視光線透明性であり、９５％〜９９．５％の開放面積を有する。
【００７９】
別の例示的なタッチスクリーンセンサは、可視光線透明基材と、可視光線透明基材の上又は中に配置される導電性微小パターンとを含む。微小パターンは、接触感知領域内の第１区域微小パターン、及び第２区域微小パターンを含む。導電性微小パターンは、５００ナノメートル未満の厚さ、及び１〜４マイクロメートルの幅を有する、金属の線形導電性構造を含む。第１区域微小パターンは、第１の方向において５〜１００Ω／スクエアの第１シート抵抗値を有し、可視光線透明性であり、９６％〜９９．５％の開放面積を有する。第２区域微小パターンは、第１の方向において、第２シート抵抗値を有し、これは、第１シート抵抗値とは異なる。
【００８０】
別の例示的なタッチスクリーンセンサは、可視光線透明基材と、可視光線透明基材の上又は中に配置される導電性微小パターンとを含む。微小パターンは、接触感知領域内の第１区域微小パターン、及び第２区域微小パターンを含む。導電性微小パターンは、５００ナノメートル未満の厚さ、及び０．５〜５マイクロメートルの幅を有する、金属の線形導電性構造を含む。第１区域微小パターンは、第１の方向において５〜５００Ω／スクエアの第１シート抵抗値を有し、可視光線透明性であり、９５％〜９９．５％の開放面積を有する。第２区域微小パターンは、第１の方向において、第２シート抵抗値を有し、これは、第１シート抵抗値とは異なる。微小パターンはまた、電気的に絶縁した導電体堆積物を含む。可視光線透明感知領域内に位置するセンサの１ミリメートル×１ミリメートルの正方形区域全体に関し、この区域のいずれも、区域全体の平均から７５％超異なる遮蔽面積率を有さない。
【００８１】
別の例示的なタッチスクリーンセンサは、可視光線透明基材と、可視光線透明基材の上又は中に配置される導電性微小パターンとを含む。微小パターンは、接触感知領域内の第１区域微小パターン、及び第２区域微小パターンを含む。導電性微小パターンは、５００ナノメートル未満の厚さ、及び０．５〜５マイクロメートルの幅を有する、金属の線形導電性構造を含む。第１区域微小パターンは、第１の方向において５〜５００Ω／スクエアの第１シート抵抗値を有し、可視光線透明性であり、９５％〜９９．５％の開放面積を有する。第２区域微小パターンは、第１の方向において、第２シート抵抗値を有し、これは、第１シート抵抗値とは異なる。微小パターンはまた、電気的に絶縁した導電体堆積物を含む。可視光線透明感知領域内に位置するセンサの５ミリメートル×５ミリメートルの正方形区域全体に関し、この区域のいずれも、区域全体の平均から５０％超異なる遮蔽面積率を有さない。
【００８２】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び１〜４マイクロメートルの幅を有する、金属の線形導電性構造を含む。第１区域微小パターンは、直交方向において、少なくとも１．５倍のシート抵抗値の差を有する異方性第１シート抵抗を有し、可視光線透明性であり、９６％〜９９．５％の開放面積を有する。
【００８３】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び０．５〜５マイクロメートルの幅を有する、金属の線形導電性構造を含む。第１区域微小パターンは、直交方向において、少なくとも１．５倍のシート抵抗値の差を有する異方性第１シート抵抗を有し、可視光線透明性であり、９５％〜９９．５％の開放面積を有する。微小パターンはまた、電気的に絶縁した導電体堆積物を含む。可視光線透明感知領域内に位置するセンサの１ミリメートル×１ミリメートルの正方形区域全体に関し、この区域のいずれも、区域全体の平均から７５％超異なる遮蔽面積率を有さない。
【００８４】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び０．５〜５マイクロメートルの幅を有する、金属の線形導電性構造を含む。第１区域微小パターンは、直交方向において、少なくとも１．５倍のシート抵抗値の差を有する異方性第１シート抵抗を有し、可視光線透明性であり、９５％〜９９．５％の開放面積を有する。微小パターンはまた、電気的に絶縁した導電体堆積物を含む。可視光線透明感知領域内に位置するセンサの５ミリメートル×５ミリメートルの正方形区域全体に関し、この区域のいずれも、区域全体の平均から５０％超異なる遮蔽面積率を有さない。
【００８５】
別の例示的なタッチスクリーンセンサは、可視光線透明基材と、可視光線透明基材の上又は中に配置される導電性微小パターンとを含む。微小パターンは、接触感知領域内に第１区域微小パターンを含む。第１区域微小パターンは、０．５〜５マイクロメートルの幅を有する、金属の線形導電性構造を含む。第１区域微小パターンは、可視光線透明性であり、９５％〜９９．５％の開放面積を有する。第１区域微小パターンの１ミリメートル×１ミリメートルの正方形区域全体に関し、この正方形区域のいずれも、正方形区域全体の平均から７５％超異なる遮蔽面積率を有さない。一実施形態では、第１区域微小パターンはまた、電気的に絶縁された導電体堆積物を含む。一実施形態では、金属の線形導電性構造は、５００ナノメートル未満の厚さを有する。一実施形態では、第１区域微小パターンは、第１の方向において５〜１００Ω／メートルの第１シート抵抗値を有する。
【００８６】
別の例示的なタッチスクリーンセンサは、可視光線透明基材と、可視光線透明基材の上又は中に配置される導電性微小パターンとを含む。微小パターンは、接触感知領域内に第１区域微小パターンを含む。第１区域微小パターンは、０．５〜５マイクロメートルの幅を有する、金属の線形導電性構造を含む。第１区域微小パターンは、可視光線透明性であり、９５％〜９９．５％の開放面積を有する。第１区域微小パターンの５ミリメートル×５ミリメートルの正方形区域全体に関し、この正方形区域のいずれも、正方形区域全体の平均から５０％超異なる遮蔽面積率を有さない。一実施形態では、金属の線形導電性構造は、５００ナノメートル未満の厚さを有する。一実施形態では、第１区域微小パターンはまた、電気的に絶縁された導電体堆積物を含む。
【００８７】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び０．５〜５マイクロメートルの幅を有する、金属の線形導電性構造を含む。第１区域微小パターンは、第１の方向において５〜１００Ω／スクエアの第１シート抵抗値を有し、可視光線透明性であり、９５％〜９９．５％の開放面積を有する。微小パターンはまた、電気的に絶縁した導電体堆積物を含む。可視光線透明感知領域内に位置するセンサの１ミリメートル×１ミリメートルの正方形区域全体に関し、この区域のいずれも、区域全体の平均から７５％超異なる遮蔽面積率を有さない。
【００８８】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び０．５〜５マイクロメートルの幅を有する、金属の線形導電性構造を含む。第１区域微小パターンは、第１の方向において５〜１００Ω／スクエアの第１シート抵抗値を有し、可視光線透明性であり、９５％〜９９．５％の開放面積を有する。微小パターンはまた、電気的に絶縁した導電体堆積物を含む。可視光線透明感知領域内に位置するセンサの５ミリメートル×５ミリメートルの正方形区域全体に関し、この区域のいずれも、区域全体の平均から５０％超異なる遮蔽面積率を有さない。
【００８９】
別の例示的なタッチスクリーンセンサは、可視光線透明基材と、可視光線透明基材の上又は中に配置される導電性微小パターンとを含む。微小パターンは、接触感知領域内の第１区域微小パターン、及び第２区域微小パターンを含む。導電性微小パターンは、５００ナノメートル未満の厚さ、及び０．５〜５マイクロメートルの幅を有する、金属の線形導電性構造を含む。第１区域微小パターンは、第１の方向において５〜５００Ω／スクエアの第１シート抵抗値を有し、可視光線透明性であり、９５％〜９９．５％の開放面積を有する。第２区域微小パターンは、第１の方向において、第２シート抵抗値を有し、これは、第１シート抵抗値とは異なる。センサはまた、可視光線透明基材の上又は中に配置される、より大きな導電性構造を含み、より大きな構造は、微小パターン中に含まれるのと同じ材料及び厚さで、最小寸法において少なくとも２５マイクロメートルである、連続的な導電性堆積物を含む。
【００９０】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び０．５〜５マイクロメートルの幅を有する、金属の線形導電性構造を含む。第１区域微小パターンは、直交方向において、少なくとも１．５倍のシート抵抗値の差を有する異方性第１シート抵抗を有し、可視光線透明性であり、９５％〜９９．５％の開放面積を有する。センサはまた、可視光線透明基材の上又は中に配置される、より大きな導電性構造を含み、より大きな構造は、微小パターン中に含まれるのと同じ材料及び厚さで、最小寸法において少なくとも２５マイクロメートルである、連続的な導電性堆積物を含む。
【００９１】
別の例示的なタッチスクリーンセンサは、可視光線透明基材と、可視光線透明基材の上又は中に配置される導電性微小パターンとを含む。微小パターンは、接触感知領域内の第１区域微小パターン、及び第２区域微小パターンを含む。導電性微小パターンは、５００ナノメートル未満の厚さ、及び０．５〜５マイクロメートルの幅を有する、金属の線形導電性構造を含む。第１区域微小パターンは、第１の方向において５〜５００Ω／スクエアの第１シート抵抗値を有し、可視光線透明性であり、９５％〜９９．５％の開放面積を有する。第２区域微小パターンは、第１の方向において、第２シート抵抗値を有し、これは、第１シート抵抗値とは異なる。センサはまた、可視光線透明基材の上又は中に配置される、より大きな導電性構造を含み、より大きな構造は、微小パターン中に含まれるのと同じ材料及び厚さで、最小寸法において少なくとも５００マイクロメートルである、連続的な導電性堆積物を含む。
【００９２】
別の例示的なタッチスクリーンセンサは、可視光線透明基材と、可視光線透明基材の上又は中に配置される導電性微小パターンとを含む。微小パターンは、接触感知領域内に第１区域微小パターンを含む。導電性微小パターンは、５００ナノメートル未満の厚さ、及び０．５〜５マイクロメートルの幅を有する、金属の線形導電性構造を含む。第１区域微小パターンは、直交方向において、少なくとも１．５倍のシート抵抗値の差を有する異方性第１シート抵抗を有し、可視光線透明性であり、９５％〜９９．５％の開放面積を有する。センサはまた、可視光線透明基材の上又は中に配置される、より大きな導電性構造を含み、より大きな構造は、微小パターン中に含まれるのと同じ材料及び厚さで、最小寸法において少なくとも５００マイクロメートルである、連続的な導電性堆積物を含む。
【００９３】
別の例示的なタッチスクリーンセンサは、可視光線透明基材と、可視光線透明基材の上又は中に配置される導電性微小パターンとを含む。微小パターンは、接触感知領域内に第１区域微小パターンを含む。第１区域微小パターンは、０．５〜１０マイクロメートルの幅を有する導電トレースを含む。第１区域微小パターンは、可視光線透明性であり、９０％〜９９．９５％の開放面積、好ましくは９５％〜９９．９５％の開放面積、及びより好ましくは、９７％〜９８％の開放面積を有する。第１区域微小パターンの５ミリメートル×５ミリメートルの正方形区域全体に関し、この正方形区域のいずれも、正方形区域全体の平均から７５％超異なる、好ましくは５０％超異なる、より好ましくは２５％超異なる、及び最も好ましくは１０％超異なる遮蔽面積率を有さない。一実施形態では、第１区域微小パターンは、０．５〜５マイクロメートル、好ましくは１〜３マイクロメートルの幅を有する導電トレースを含む。
【００９４】
別の例示的なタッチスクリーンセンサは、可視光線透明基材と、可視光線透明基材の上又は中に配置される導電性微小パターンとを含む。微小パターンは、接触感知領域内に第１区域微小パターンを含む。第１区域微小パターンは、１〜１０マイクロメートルの幅を有する導電トレースを含む。第１区域微小パターンは、可視光線透明性であり、９０％〜９９．５％の開放面積を有する。第１区域微小パターンは、本来ならば連続的かつ均一であるメッシュ内の導電トレースにおいて、選択的な断絶部を含む。
【００９５】
別の例示的なタッチスクリーンセンサは、可視光線透明基材と、可視光線透明基材の上又は中に配置される導電性微小パターンとを含む。微小パターンは、接触感知領域内に第１区域微小パターンを含む。第１区域微小パターンは、マイクロメートルの単位で約［Ｘ＋０．５］の幅、及び［９５−Ｘ］％〜９９．５％（０≦Ｘ≦４．５）の開放面積率を有する導電トレースを含む。一実施形態では、第１区域微小パターン内のタッチスクリーンセンサは、１０％未満のヘイズ値、及び７５％超の透過率を呈する。別の実施形態では、第１区域微小パターン内のタッチスクリーンセンサは、５％未満のヘイズ値、及び８５％超の透過率を呈する。一実施形態では、第１区域微小パターンは、約［９８．５−（２．５Ｘ÷３．５）］％〜［９９．５−（Ｘ÷３．５）］％（０≦Ｘ≦３．５）の幅を有する導電トレースを含む。
【００９６】
別の例示的なタッチスクリーンセンサは、可視光線透明基材と、可視光線透明基材の上又は中に配置される導電性微小パターンとを含む。微小パターンは、接触感知領域内に第１区域微小パターンを含む。第１区域微小パターンは、４ｍｍの間隔で離れ、約９．６μｍの幅を有する平行な導電配線を含み、９９．７５％の開口率を生じる。微小複製された電極のこの実施形態は、中心間が０．５ｍｍ〜約５ｍｍの間隔で分離している、約４μｍ〜１０μｍの幅を有する平行な導電体を含む。導電体は、長さ方向でＰＥＴ基材のウェブに形成されてもよく、導電体の長さは１ｍを超えてもよい。隣接する導電体の群は、電気的に相互接続されて、例えば、図８及び図９に関して記載されるプロセスを使用して、１ｍｍ〜１２ｍｍの合計幅を有する電極を形成してもよい。例えば、同時係属の米国特許出願公開第２００７／００７４９１４号に開示されているように、隣接する電極の導電体は、電極が交互配置されるようにして相互接続されてもよい。
【実施例】
【００９７】
以下に、代表的なタッチスクリーンセンサ設計を記載する。これらは、例えば、米国特許第５，１２６，００７号、又は同第５，４９２，６１１号に記載されるように、既知のフォトリソグラフィー法を使用して作製され得る。導電体は、当該技術分野において既知である物理蒸着法、例えば、スパッタリング又は蒸着を使用して堆積され得る。特に指定されない限り、以下の実施例は、マイクロコンタクト印刷技術（上記の技術、及び同時係属の米国特許出願第６１／０３２，２７３号参照）によってパターン化される導電体を含む。本明細書において例示される各導電パターンは、当該技術分野において既知であるように（例えば、米国特許第４，０８７，６２５号、同第５，３８６，２１９号、同第６，２９７，８１１号、国際特許公開第２００５／１２１９４０  Ａ２号）、デコード回路に接続された場合に、透明タッチスクリーンセンサとして有用である。
【００９８】
（実施例１）
以下の記載による薄膜金の微小パターンが、無色のガラスの薄いシート（およそ１ミリメートルの厚さ）上に堆積される。微小パターン２４０が、図１１及び図１２に描かれている。金層の厚さ又は高さは、約１００ナノメートルである。微小パターン２４０は、水平の細いトレース２４２を含む一連の水平（ｘ軸）メッシュバー２４１を伴い、トレース２４２は、幅がおよそ２マイクロメートルである。これらの水平メッシュトレース２４２の４本が、より大きな構造の接触パッド２６０と電気通信している。メッシュバーは、およそ６ミリメートルの幅である。したがって、１３本の等間隔なトレース２４４が、６ミリメートルの幅（ｙ軸）を横断し、１３本の等間隔なトレース２４２が６ミリメートルの長さ（ｘ軸）を横断し、トレースの正方形グリッドのピッチは５００マイクロメートルである。図１２に描かれているように、いくつかのトレースは、およそ２５マイクロメートル（場所の特定の容易化のために、図では誇張されている）の断絶部２５０を有する。５００マイクロメートルピッチにおける、２マイクロメートル幅の不透明トレースを有する正方形グリッドでは、不透明トレースの空間占有率は、０．８０％であり、これにより、９９．２０％の開放面積となる。同じ正方形グリッドであるが、５００マイクロメートル毎に２５マイクロメートルの断絶部を有するものでは、空間占有率は０．７８％であり、これにより、９９．２２％の開放面積となる。これにより、この設計は、９９．２２％の開放面積を有する１ｍｍ×６ｍｍ区域、及び９９．２０％の開放面積を有する６ｍｍ×６ｍｍ区域を含む。メッシュを有するガラス物品の平均可視透過率は、およそ０．９２×０．９９２＝９１％である（０．９２という係数は、パターンの導電体が堆積されていない領域における光透過率の界面反射損失に関連する）。水平バー方向に沿って、４本の金のトレースによって互いに接続された、一連の完全なグリッド区域が存在する。スパッタ薄膜金に関し、５Ｅ−０６Ωｃｍの有効バルク抵抗値を想定すると、２マイクロメートル幅、５００マイクロメートル長の薄膜金の区分は、およそ１２５Ωの抵抗を有する。完成したグリッドを有する区域は、バーの方向に電流が流れるために、およそ１１５Ω／スクエアの有効シート抵抗を有する。完成したグリッドを有する区域を接続する４本のトレースは、区域間において、およそ６２．５Ωの抵抗を生じる。上記の導電トレース要素の配置により、図１３にプロットされるように、バー方向に沿って、空間的に異なる単位長さ当たりの抵抗が生じる。図１４は、水平メッシュバーの配列の、同等の回路を例示する。回路は、レジスタによって接続される、一連のプレートを有する。
【００９９】
（実施例２）
以下の記載による薄膜金の微小パターンが、無色のガラスの薄いシート（およそ１ミリメートルの厚さ）上に堆積される。微小パターン３４０が、図１５に描かれている。金の厚さは、約１００ナノメートルである。微小パターン３４０は、一連の交互配置された楔形又は三角形の形状の透明導電性区域を有する。各楔形は、細い金属のトレース３４２、３４４で作製されるメッシュで構成され、トレース３４２、３４４（図１５ａ〜１５ｃ参照）は、およそ２マイクロメートルの幅である。メッシュの楔形は、その底辺においておよそ１センチメートルの幅であり、長さはおよそ６センチメートルである。トレース３４２、３４４の正方形グリッドのピッチは、５００マイクロメートルである。楔形内のメッシュの選択される区域（図１５ａ〜図１５ｂ参照）内において、およそ２５マイクロメートル長の断絶部３５０が、楔形内の局部的シート抵抗（その長軸に沿って通過する電流のため）に影響を与えるように、意図的に設置される。図１５ａ及び図１５ｂに描かれているように、区域１５ａ、及び１５ｂ（図１５では、区域はおよそ１センチメートルで分離している）、断絶部３５０は、長軸方向において、シート抵抗を１．２倍超増加させるメッシュに含まれる。全体的な設計はまた、区域１５ｃ（図１５ｃに描かれている）を含み、これは、区域１５ａ及び１５ｂから、電気的に絶縁され、離間しており、また区域１５ａ及び１５ｂのものよりも低いシート抵抗値のメッシュを有する。メッシュ区域１５ｃは、９９．２０％の開放面積を有し、一方でメッシュ区域１５ａ及び１５ｂは、それぞれ、９９．２０％及び９９．２１％の開放面積率を有する。全体的な設計はまた、区域１５ａ、１５ｂ、及び１５ｃよりも大きなピッチのメッシュを有するが、同じ幅のトレースを有する、区域１５ｄ及び１５ｅ（図１５ｄ及び１５ｅに描かれている）を含み、より高いシート抵抗及び可視光線透過率をもたらす。
【０１００】
図１６は、上記のメッシュ特性の設計の、楔形に沿った抵抗の勾配への影響を、同じ形状の区域での標準的なＩＴＯコーティングの使用と比較して例示している。全体的な設計はまた、パターンの左側及び右側に沿った導電性リードの形態の、より大きな導電構造を含み、リードはおよそ１ミリメートル幅であり、およそ１００ナノメートルの厚さの薄膜金からパターン化されている。
【０１０１】
（実施例３）
タッチスクリーンセンサのための透明センサ要素４００が、図１７に例示される。センサ要素４００は、互いに積層され、明確にするために図１７では分離されて描かれている、パターン化された２つの導電層４１０、４１４（例えば、Ｘ軸層、及びＹ軸層）、光学的に透明な２つの接着剤層４１２、４１６、及び基部プレート４１８を含む。層４１０及び４１４は、透明導電メッシュバーを含み、ここで一方の層はｘ軸方向に配向され、他方の層はｙ軸方向に配向されている（図２参照）。基部プレート４１８は、面積が６センチメートル×６センチメートル、厚さが１ミリメートルのサイズのガラスのシートである。好適な、光学的に透明な接着剤は、３Ｍ  Ｃｏｍｐａｎｙ，Ｓｔ．Ｐａｕｌ，Ｍｉｎｎｅｓｏｔａからの、Ｏｐｔｉｃａｌｌｙ  Ｃｌｅａｒ  Ｌａｍｉｎａｔｉｎｇ  Ａｄｈｅｓｉｖｅ  ８１４１である。Ｘ層及びＹ層のそれぞれに関し、金属の微小パターンを有する透明なポリマーフィルムが使用される。以下の記載による薄膜金の微小パターンが、ＰＥＴの薄いシート上に堆積される。好適なＰＥＴ基材としては、厚さおよそ１２５マイクロメートルの、ＤｕＰｏｎｔ，Ｗｉｌｍｉｎｇｔｏｎ，ＤｅｌａｗａｒｅからのＳＴ５０４  ＰＥＴが挙げられる。
【０１０２】
微小パターン４４０は、図１８及び図１９に描かれている。金の厚さは、約１００ナノメートルである。微小パターンは、一連の平行メッシュバー４４２の形態の、透明導電性区域を有する。基部プレートへの指接触の容量検出のための、電子デバイスへの接続のための、正方形パッド４６０（面積がおよそ２ミリメートル×２ミリメートルであり、およそ１００ナノメートルの厚さの薄膜金の形態の連続的な導電体を含む）で終端するメッシュバーに加え、電子デバイスから電気的に絶縁されたメッシュバー４４１が存在する。絶縁されたメッシュバー４４１は、センサ全体にわたる光学的均一性を維持するように機能する。各バーは、細い金属のトレース４４３で作製されるメッシュで構成され、トレース４４３は幅がおよそ５マイクロメートルのサイズである。メッシュバーはそれぞれ、幅がおよそ２ミリメートル、長さが６６ミリメートルのサイズである。各メッシュバー内には、幅がおよそ０．６６７ミリメートル、長さが１２ミリメートルの矩形セルがある。このメッシュ設計は、各メッシュバーの長軸トレースの間の結合を提供し、長軸トレースに何らかの開回路異常がある場合に、メッシュバーに沿った電気的導通を維持するように機能する。しかしながら、このような結合を有する０．６６７ミリメートルピッチの正方形メッシュの使用とは対照的に、図１８及び図１９の矩形メッシュは、メッシュバーに沿ったシート抵抗を光学的透過性と、より最適にトレードオフする。より具体的には、図１８及び図１９に描かれているメッシュバー、並びに０．６６７ミリメートルピッチを有する正方形メッシュを含む２ミリメートル幅のメッシュバーは、双方とも、メッシュバーの長軸に沿って本質的に同じシート抵抗（およそ５０Ω／スクエア）を有するが、正方形グリッドは、透明導電性区域の面積の１．５％を塞ぎ、図１８及び図１９に描かれているメッシュは、透明導電性区域の面積の０．８％のみを塞ぐ。
【０１０３】
（実施例４）
タッチスクリーンセンサのための透明センサ要素が記載される。図１７に描かれているように、センサ要素は、パターン化された２つの導電層、光学的に透明な２つの接着剤層、及び基部プレートを含む。基部プレートは、図１７に描かれるように互いに積層される、面積が６センチメートル×６センチメートル、かつ厚さが１ミリメートルである、ガラスのシートである。好適な、光学的に透明な接着剤は、３Ｍ  Ｃｏｍｐａｎｙからの、Ｏｐｔｉｃａｌｌｙ  Ｃｌｅａｒ  Ｌａｍｉｎａｔｉｎｇ  Ａｄｈｅｓｉｖｅ  ８１４１である。Ｘ層及びＹ層のそれぞれに関し、金属の微小パターンを有する透明なポリマーフィルムが使用される。以下の記載による薄膜金の微小パターンが、ＰＥＴの薄いシート上に堆積される。好適なＰＥＴ基材としては、サイズが厚さおよそ１２５マイクロメートルの、ＤｕＰｏｎｔからのＳＴ５０４  ＰＥＴが挙げられる。
【０１０４】
微小パターン５４０が、図２０及び図２１に描かれている。金の厚さは、１００ナノメートルである。微小パターン５４０は、一連の平行メッシュバー５４２の形態の、透明導電性区域を有する。基部プレートへの指接触の容量検出のための、電子デバイスへの接続のための、正方形パッド５６０で終端するメッシュバー５４２に加え、電子デバイスから電気的に絶縁された直線区分５４１が存在する。直線区分５４１は、メッシュバー５４２の間の区域に存在し、図１３に描かれているように、およそ２５マイクロメートルの断絶部５５０を除いてはメッシュバーと本質的に同じ形状を有する。絶縁された線区分５４１は、センサ全体にわたる光学的均一性を維持するように機能する。各バー５４２は、細い金属のトレースで作製されるメッシュで構成され、トレースは幅がおよそ５マイクロメートルのサイズである。メッシュバー５４２はそれぞれ、幅がおよそ２ミリメートル、長さが６６ミリメートルのサイズである。各メッシュバー５４２内には、幅がおよそ０．６６７ミリメートル、長さが１２ミリメートルの矩形セルがある。図１２及び図１３に描かれているメッシュ５４２は、透明導電性区域内のその面積の０．８％を塞ぐ。図１２及び図１３に描かれている、絶縁された線区分５４１も、これらがメッシュバー５４２の間に占める区域内の面積の０．８％を塞ぐ。
【０１０５】
（実施例５）
タッチスクリーンセンサのための透明センサ要素が記載される。図１７に描かれているように、センサ要素は、パターン化された２つの導電層、光学的に透明な２つの接着剤層、及び基部プレートを含む。基部プレートは、図１７に描かれるように互いに積層される、面積が６センチメートル×６センチメートル、かつ厚さが１ミリメートルである、ガラスのシートである。好適な、光学的に透明な接着剤は、３Ｍ  Ｃｏｍｐａｎｙからの、Ｏｐｔｉｃａｌｌｙ  Ｃｌｅａｒ  Ｌａｍｉｎａｔｉｎｇ  Ａｄｈｅｓｉｖｅ  ８１４１である。Ｘ層及びＹ層のそれぞれに関し、金属の微小パターンを有する透明なポリマーフィルムが使用される。以下の記載による薄膜金の微小パターンが、ＰＥＴの薄いシート上に堆積される。好適なＰＥＴ基材としては、サイズが厚さおよそ１２５マイクロメートルの、ＤｕＰｏｎｔからのＳＴ５０４  ＰＥＴが挙げられる。
【０１０６】
微小パターン６４０が、図２２及び図２３に描かれている。金の厚さは、約１００ナノメートルである。微小パターン６４０は、一連の平行メッシュバー６４２の形態の、透明導電性区域を有する。基部プレートへの指接触の容量検出のための、電子デバイスへの接続のための、正方形パッド６６０で終端するメッシュバー６４２に加え、電子デバイスから電気的に絶縁された直線区分６４１が存在する。直線区分６４１は、メッシュバーの間の区域に位置し、メッシュバーの線区分と同様の形状を有する。電気的に絶縁された線区分６４１は、センサ全体にわたる光学的均一性を維持するように機能する。各バー６４１、６４２は、細い金属のトレースで構成され、トレースは幅がおよそ３マイクロメートルである。メッシュバー６４２はそれぞれ、幅がおよそ２ミリメートル、長さが６６ミリメートルである。各メッシュ内において、バー６４２はランダムな形状のセルを含む。図２２及び図２３に描かれているメッシュ６４２は、透明導電性区域内のその面積の５％未満を塞ぐ。図２２及び図２３に描かれている、絶縁された線区分６４１も、これらがメッシュバーの間に占める区域内の面積の５％未満を塞ぐ。
【０１０７】
金属化ポリマーフィルム基材の調製（実施例６〜４０）
ポリマーフィルム基材、ポリエチレンテレフタレート（ＰＥＴ）（ＳＴ５０４、デラウェア州ウィルミントンのＥ．Ｉ．ＤｕＰｏｎｄ  ｄｅ  Ｎｅｍｏｕｒｓ  ａｎｄ  Ｃｏｍｐａｎｙ）を提供した。ＳＴ５０４  ＰＥＴフィルムの光学的特性が、Ｈａｚｅ−Ｇａｒｄによって決定された。ヘイズ及び透過率は、それぞれ、およそ０．６７％及び９２．９％であった。
【０１０８】
いくつかの基材フィルムは金でコーティングされ、いくつかは銀でコーティングされた。金コーティングされた基材が、熱蒸着によって調製された（ＤＶ−５０２Ａ、Ｄｅｎｔｏｎ  Ｖａｃｕｕｍ，Ｍｏｏｒｅｓｔｏｗｎ，Ｎｅｗ  Ｊｅｒｓｅｙ）。金コーティングされた基材に関し、基材表面が最初に２０オングストロームのクロムでコーティングされ、次に１００ナノメートルの金でコーティングされた。銀コーティングされた基材の場合、２つの異なる方法が使用された。銀コーティングされたいくつかの基材は、共に熱蒸着で調製され（ＤＶ−５０２Ａ、Ｄｅｎｔｏｎ  Ｖａｃｕｕｍ，Ｍｏｏｒｅｓｔｏｗｎ，Ｎｅｗ  Ｊｅｒｓｅｙ）、いくつかは、スパッタリング（３Ｍ）によって調製された。基材表面は、全ての場合において、１００ナノメートルの銀でコーティングされた。
【０１０９】
スタンプ製作
エラストマースタンプを成形するための、２つの異なるマスターツールが、フォトリソグラフィーを使用して、１０センチメートル直径シリコンウェハ上にフォトレジスト（Ｓｈｉｐｌｅｙ  １８１８、Ｈａａｓ  Ｃｏｍｐａｎｙ，Ｐｈｉｌａｄｅｌｐｈｉａ，Ｐｅｎｎｓｙｌｖａｎｉａ）のパターンを調製することによって、製造された。異なるマスターツールは、本明細書において「六角形（Hex）」及び「正方形」と称される、２つの異なるメッシュ形状に基づいていた。六角形とは、規則的な六角形の形状を有する囲まれた領域を画定する線のネットワークを含むパターンを指す。正方形とは、正方形の形状を有する囲まれた領域を画定する線のネットワークを含むパターンを指す。エラストマースタンプは、未硬化ポリジメチルシロキサン（ＰＤＭＳ、ＳｙｌｇａｒｄＴＭ  １８４、ＳｙｌｇａｒｄＴＭ  １８４，Ｄｏｗ  Ｃｏｒｎｉｎｇ，Ｍｉｄｌａｎｄ  Ｍｉｃｈｉｇａｎ）をツールにおよそ３．０ミリメートルの厚さまで注ぐことによって、マスターツールに対して成形された。マスターと接触した未硬化シリコーンは、真空に曝露することによって脱気し、その後７０℃で２時間硬化させた。マスターツールから剥いだ後、ＰＤＭＳスタンプには、およそ１．８マイクロメートルの高さで隆起した形状を含むレリーフパターンが付与された。六角形メッシュ及び正方形メッシュの両方に関して、隆起した形状は、上記の対応するメッシュ形状を画定する線であった。
【０１１０】
インク付け
スタンプは、その裏側（レリーフパターンのない平坦な表面）を、エタノール中のオクタデシルチオール（「ＯＤＴ」Ｏ０００５、ＴＣＩ  ＡＭＥＲＩＣＡ，Ｗｅｌｌｅｓｌｅｙ  Ｈｉｌｌｓ，ＭａｓｓａｃｈｕｓｅｔｔｓのＴＣＩ  ＡＭＥＲＩＣＡ）の溶液に２０時間接触させることによってインクを付された。１０ｍＭのＯＤＴ溶液が正方形メッシュパターンのスタンプに使用され、５ｍＭのＯＤＴ溶液が、六角形メッシュパターンのスタンプに使用された。
【０１１１】
スタンピング
金属化ポリマーフィルム基材が、上記のインクを付されたスタンプでスタンピングされた。スタンピングでは、最初にフィルムサンプルの縁部をスタンプ表面に接触させ、次に直径およそ３．０センチメートルのフォームローラーを使用して、フィルムをローラーでスタンプ全体に接触させることにより、金属化されたフィルムを、上を向いたスタンプのレリーフパターン化された表面に接触させた。ローリング工程は、実行に１秒未満を必要とした。ローリング工程の後に、基材をスタンプと１０秒間接触させた。次に、基材がスタンプから剥がされ、工程は１秒未満を必要とした。
【０１１２】
エッチング
スタンピングの後、印刷されたパターンを有する金属化フィルム基材が、選択的エッチング及び金属パターン化のために、エッチング溶液に浸漬された。金薄膜を有する印刷金属化フィルム基材の場合、エッチャントはチオ尿素（Ｔ８６５６、Ｓｉｇｍａ−Ａｌｄｒｉｃｈ，Ｓｔ．Ｌｏｕｉｓ，Ｍｉｓｓｏｕｒｉ）１ｇ、濃塩酸（ＨＸ０６０３−７５、ＥＭＤ  Ｃｈｅｍｉｃａｌｓ，Ｇｉｂｂｓｔｏｗｎ，Ｎｅｗ  Ｊｅｒｓｅｙ）０．５４ミリリットル、過酸化水素（３０％、５２４０−０５、Ｍａｌｌｉｎｃｋｒｏｄｔ  Ｂａｋｅｒ，Ｐｈｉｌｌｉｐｓｂｕｒｇ，Ｎｅｗ  Ｊｅｒｓｅｙ）０．５ミリリットル、及び脱イオン水２１グラムを含んでいた。金薄膜をパターン化するために、印刷金属化フィルム基材をエッチング溶液中に５０秒間含浸した。銀薄膜を有する印刷金属化フィルム基材の場合、エッチャントは、チオ尿素（Ｔ８６５６、Ｓｉｇｍａ−Ａｌｄｒｉｃｈ，Ｓｔ．Ｌｏｕｉｓ，Ｍｉｓｓｏｕｒｉ）０．４５グラム、硝酸第二鉄（２１６８２８、Ｓｉｇｍａ−Ａｌｄｒｉｃｈ，Ｓｔ．Ｌｏｕｉｓ，Ｍｉｓｓｏｕｒｉ）１．６４グラム、及び脱イオン水２００ミリリットルを含んでいた。銀薄膜をパターン化するために、印刷金属化フィルム基材をエッチング溶液中に３分間含浸した。金をパターンエッチングした後、２．５グラムの過マンガン酸カリウム（ＰＸ１５５１−１、ＥＭＤ  Ｃｈｅｍｉｃａｌｓ，Ｇｉｂｂｓｔｏｗｎ，Ｎｅｗ  Ｊｅｒｓｅｙ）、４グラムの水酸化カリウム（４８４０１６、Ｓｉｇｍａ−Ａｌｄｒｉｃｈ，Ｓｔ．Ｌｏｕｉｓ，Ｍｉｓｓｏｕｒｉ）及び１００ミリリットルの脱イオン水の溶液を使用して、残りのクロムがエッチングされた。
【０１１３】
特徴付け
選択的エッチング及び金属パターン化の後、金属パターンは、光学顕微鏡（Ｎｉｋｏｎ，Ｍｅｌｖｉｌｌｅ，Ｎｅｗ  ＹｏｒｋのＤＳ−Ｆｉ１デジタルカメラ及びＮＩＳ−Ｅｌｅｍｅｎｔｓ  Ｄソフトウェアを装備したＭｏｄｅｌ  ＥＣＬＩＰＳＥ  ＬＶ１００Ｄ）、走査型電子顕微鏡（ＪＥＯＬ  Ｌｔｄ，Ｔｏｋｙｏ，ＪａｐａｎのＳＥＭ、Ｍｏｄｅｌ  ＪＳＭ−６４００）、及びＨａｚｅ−Ｇａｒｄ（Ｈａｚｅ−Ｇａｒｄ  ｐｌｕｓ，ＢＹＫ  Ｇａｒｄｎｅｒ，Ｃｏｌｕｍｂｉａ，Ｍａｒｙｌａｎｄ）を使用して特徴付けされた。金属パターンの線構造の幅を決定するために顕微鏡技術が使用された。メッシュグリッドコーティングフィルムの透過率及びヘイズを決定するために、Ｈａｚｅ−Ｇａｒｄが使用された。Ｈａｚｅ−Ｇａｒｄ測定は、光学的に透明な接着剤（３Ｍ製品）を用いて、パターン化されたフィルムをガラス上に積層した後に行った。金属パターンの線構造の可視性の度合いを表すために、高、中、低の可視度が指定された（人の裸眼による観察）。
【０１１４】
（実施例６）
薄膜金の六角形メッシュグリッドパターンが、上記の手順に従って作製及び特徴付けされた。インク溶液は、５ｍＭの濃度でエタノールに溶解したオクタデシルチオールを含んでいた。インク溶液を、スタンプの裏側に２０時間接触させた。スタンピング時間は１０秒間であった。図１は、完成した薄膜金微小パターンから記録されたＳＥＭ顕微鏡写真を示す。実際の線幅はおよそ１．６３マイクロメートルであった。開放面積の割合が、測定された線幅、及び設計された縁部間の幅４００マイクロメートルに基づいて再計算され、これは９９．２％であった。金六角形メッシュグリッドコーティングフィルムの光学的特性は、Ｈａｚｅ−Ｇａｒｄによって決定された。ヘイズ及び透過率は、それぞれ、およそ１．１４％及び９１．６％であった。線幅１．６３マイクロメートル、及び縁部間の幅４００マイクロメートルを有する金六角形メッシュパターンは容易に見ることができるため、この実施例には、高い可視性が指定された。
【０１１５】
（実施例７〜１５）
薄膜金の六角形メッシュグリッドパターンが、実施例１に記載される手順に従って、作製及び特徴付けされた。各実施例の実際の線幅は、ＳＥＭを使用して測定され、表１に記載された。次に、開放面積の割合が、実際の線幅、及び設計された縁部間の幅に基づいて再計算され、表１に記載された。表１はまた、Ｈａｚｅ−Ｇａｒｄによって測定された、各実施例のヘイズ値及び透過率値、並びに各実施例に指定された可視度を示す。
【０１１６】
（実施例１６）
薄膜金の正方形メッシュグリッドパターンが、上記の手順に従って作製及び特徴付けされた。インク溶液は、１０ｍＭの濃度でエタノール中に溶解したオクタデシルチオールを含んでいた。インク溶液を、スタンプの裏側に２０時間接触させた。スタンピング時間は１０秒間であった。光学顕微鏡を使用すると、実際の線幅はおよそ４．７３マイクロメートルであった。開放面積の割合は、測定された線幅及び設計されたピッチ３２０マイクロメートルに基づいて再計算され、これは９７．０％であった。金の正方形メッシュグリッドコーティングフィルムの光学的特性は、Ｈａｚｅ−Ｇａｒｄによって決定された。ヘイズ及び透過率は、それぞれ、およそ１．５８％及び８８．６％であった。線幅４．７３マイクロメートル、及びピッチ３２０マイクロメートルを有する金正方形メッシュパターンは容易に見ることができるため、この実施例には、高い可視性が指定された。
【０１１７】
（実施例１７〜２３）
薄膜金の正方形メッシュグリッドパターンが、実施例１１に記載される手順に従って、作製及び特徴付けされた。各実施例の実際の線幅は、光学顕微鏡を使用して測定され、表１に記載された。次に、開放面積の割合が、実際の線幅、及び設計されたピッチに基づいて再計算され、表１に記載された。表１はまた、Ｈａｚｅ−Ｇａｒｄによって測定された、各実施例のヘイズ値及び透過率値、並びに各実施例に指定された可視度を示す。
【０１１８】
（実施例２４）
薄膜銀の六角形メッシュグリッドパターンが、上記の手順に従って作製及び特徴付けされた。銀コーティングされた基材は、スパッタリングによって調製された。インク溶液は、５ｍＭの濃度でエタノールに溶解したオクタデシルチオールを含んでいた。インク溶液を、スタンプの裏側に２０時間接触させた。スタンピング時間は１０秒間であった。図２は、完成した薄膜銀微小パターンから記録されたＳＥＭ顕微鏡写真を示す。実際の線幅はおよそ２．４３マイクロメートルであった。開放面積の割合が、測定された線幅、及び設計された縁部間の幅６００マイクロメートルに基づいて再計算され、これは９９．２％であった。金六角形メッシュグリッドコーティングフィルムの光学的特性は、Ｈａｚｅ−Ｇａｒｄによって決定された。ヘイズ及び透過率は、それぞれ、およそ１．１９％及び９１．８％であった。線幅２．４３マイクロメートル、及び縁部間の幅６００マイクロメートルを有する銀六角形メッシュパターンは容易に見ることができるため、この実施例には、高い可視性が指定された。
【０１１９】
（実施例２５〜３２）
薄膜銀の六角形メッシュグリッドパターンが、実施例１９に記載される手順に従って、作製及び特徴付けされた。各実施例の実際の線幅は、ＳＥＭを使用して測定され、表１に記載された。次に、開放面積の割合が、実際の線幅、及び設計された縁部間の幅に基づいて再計算され、表１に記載された。表１はまた、Ｈａｚｅ−Ｇａｒｄによって測定された、各実施例のヘイズ値及び透過率値、並びに各実施例に指定された可視度を示す。
【０１２０】
（実施例３３）
薄膜銀の正方形メッシュグリッドパターンが、上記の手順に従って作製及び特徴付けされた。銀コーティングされた基材が、熱蒸着によって調製された。インク溶液は、１０ｍＭの濃度でエタノール中に溶解したオクタデシルチオールを含んでいた。インク溶液を、スタンプの裏側に２０時間接触させた。スタンピング時間は１０秒間であった。光学顕微鏡を使用し、実際の線幅はおよそ５．９マイクロメートルであった。開放面積の割合が、測定された線幅、及び設計されたピッチ３２０マイクロメートルに基づいて再計算され、これは９６．３％であった。銀正方形メッシュグリッドコーティングフィルムの光学的特性は、Ｈａｚｅ−Ｇａｒｄによって決定された。ヘイズ及び透過率は、それぞれ、およそ１．７７％及び８８．９％であった。線幅５．９マイクロメートル、及びピッチ３２０マイクロメートルを有する銀正方形メッシュパターンは容易に見ることができるため、この実施例には、高い可視性が指定された。
【０１２１】
（実施例３４〜４０）
薄膜銀の正方形メッシュグリッドパターンが、実施例２８に記載される手順に従って、作製及び特徴付けされた。各実施例の実際の線幅は、光学顕微鏡を使用して測定され、表１に記載された。次に、開放面積の割合が、実際の線幅、及び設計されたピッチに基づいて再計算され、表１に記載された。表１はまた、Ｈａｚｅ−Ｇａｒｄによって測定された、各実施例のヘイズ値及び透過率値、並びに各実施例に指定された可視度を示す。
【０１２２】
【表１】
2016502198.tif 000003
【０１２３】
（実施例４１）
同一出願人による米国特許仮出願第６１／０３２，２７３号に記載されるマイクロコンタクト印刷及びエッチングを使用して、透明センサ要素が製作され、図２７、図２８、及び図２９に概して示されるタッチセンサ駆動デバイスと組み合わされた。次いでデバイスを、ディスプレイに接続されたコンピュータ処理ユニットに統合してデバイスを試験した。デバイスは、単一及び／又は複数の同時の指の接触の位置を検出することができ、これはディスプレイ上で画像により証明された。本実施例では、マイクロコンタクト印刷及びエッチング技法（同時係属の米国特許出願第６１／０３２，２７３号もまた参照）を使用して、タッチセンサ内に使用される微小導電体パターンを形成した。
【０１２４】
透明センサ要素の形成
第１のパターン化基材
厚さ１２５マイクロメートル（μｍ）を有するポリエチレンテレフタレート（ＰＥＴ）から作製される第１の可視光線基材が、熱蒸着コーターを使用して、１００ｎｍ銀薄膜で蒸気コーティングされて、第１の銀金属化フィルムを生成した。ＰＥＴは、Ｅ．Ｉ．ｄｕ  Ｐｏｎｔ  ｄｅ  Ｎｅｍｏｕｒｓ，Ｗｉｌｍｉｎｇｔｏｎ，ＤＥから、製品番号ＳＴ５０４として市販されていた。銀は、Ｃｅｒａｃ  Ｉｎｃ．、Ｍｉｌｗａｕｋｅｅ、ＷＩから純度９９．９９％の３ｍｍペレットとして市販されているものであった。
【０１２５】
３ｍｍの厚さを有する、ＰＤＭＳと呼ばれ製品番号Ｓｙｌｇａｒｄ  １８４（Ｄｏｗ  Ｃｈｅｍｉｃａｌ  Ｃｏ．、Ｍｉｄｌａｎｄ、ＭＩ）として市販されている第１のポリ（ジメチルシロキサン）スタンプを、標準的フォトリソグラフィー技術を使用して事前にパターン化された直径１０ｃｍのシリコンウエファー（産業において「マスター」と呼ばれる場合がある）に対して成形した。ＰＤＭＳは、６５℃で２時間にわたって、シリコンウエファー上で硬化された。その後、ＰＤＭＳをウェハから剥離し、隆起した形状のパターンを有する２つの異なる低い密度の区域、第１の連続六角形メッシュパターン及び第２の不連続六角形メッシュパターンを有する第１のスタンプを得た。すなわち、隆起した形状は、辺を共有する六角形の辺を画定する。不連続六角形は、線区分において選択的な断絶部を含有する六角形である。選択的な破断点は、１０μｍ未満の長さを有していた。破断点は、約５μｍであるように設計及び推定された。それらの視認性を低減するためには、好ましくは破断点が１０μｍ未満、より好ましくは５μｍ以下、例えば１μｍ〜５μｍの間となるべきであることが判明した。各隆起した六角形の外形パターンは、２μｍの高さ、１％〜３％の面積被覆（９７％〜９９％の開放面積に対応する）、及び幅２〜３μｍの線区分を有していた。第１のスタンプはまた、幅５００μｍのトレースを画定する隆起表面形状を含んでいた。第１のスタンプは、六角形メッシュパターン区域及びトレースを有する第１の構造化された面と、反対側の第２の実質的に平坦面とを有する。
【０１２６】
直径２ｍｍのガラスビーズを含有するペトリ皿内に、構造化された面を上にしてスタンプを設置した。これにより、第２の実質的に平坦な面はガラスビーズと直接接触した。ビーズは、皿の底からスタンプを持ち上げるように機能したが、これにより以下のインク溶液がスタンプの平坦面の本質的に全体に接触することができた。エタノール中１０ミリモルの１−オクタデカンチオール（製品番号Ｃ１８Ｈ３ＣＳ、９７％、ＴＣＩ  Ａｍｅｒｉｃａ、Ｐｏｒｔｌａｎｄ  ＯＲから市販されている）のインク溶液を、スタンプの下のペトリ皿にピペットで滴下した。インク溶液は、スタンプの第２の実質的に平坦な面と直接接触した。十分なインク付け時間（例えば３時間）の後、インクがスタンプ中に拡散したところで、第１のスタンプをペトリ皿から取り出した。構造化された面を上にして、インク付きスタンプを作業面上に設置した。手持ち式ローラーを使用して、第１の銀金属化フィルムを、このようにインク付けされたスタンプの構造化された表面上に、銀フィルムが構造化された表面と直接接触するように押し付けた。金属化フィルムは、１５秒間インク付きスタンプ上に保持した。次いで、第１の金属化フィルムをインク付きスタンプから取り外した。取り外したフィルムを、脱イオン水中に（ｉ）チオ尿素（製品番号Ｔ８６５６、Ｓｉｇｍａ−Ａｌｄｒｉｃｈ、Ｓｔ．Ｌｏｕｉｓ、ＭＯ）０．０３０モル及び（ｉｉ）硝酸第二鉄（製品番号２１６８２８、Ｓｉｇｍａ−Ａｌｄｒｉｃｈ）０．０２０モルを含有する銀エッチャント溶液中に３分間入れた。エッチング工程後、得られた第１の基材を脱イオン水で洗浄し、窒素ガスで乾燥させ、第１のパターン化表面を得た。インク付きスタンプが第１の金属化基材の銀と接触したところでは、エッチング後も銀が残留した。このように、インク付きスタンプと銀フィルムとの間で接触がなかった場所から銀が除去された。
【０１２７】
図２７、図２７ａ、及び図２７ｂは、基材の第１面（これはエッチングされパターン化された銀の金属化フィルムを含む面である）上で、複数の第１の非連続的な区域７０４の間に交互に並ぶ複数の第１の連続的な区域７０２を有する、第１のパターン化された基材７００を示す。基材は、実質的に裸のＰＥＴフィルムである反対側の第２の面を有する。第１区域７０２にはそれぞれ、対応する幅５００ｕｍの導電トレース７０６が一端に配置されている。図２７ａは、六角形メッシュ構造を形成する複数の連続的な線を有する第１区域７０２の分解図を示す。図２７ｂは、非連続的な六角形メッシュ構造を形成する複数の非連続的な線（各六角形における選択的な断絶部として示される）を有する第１の非連続的な区域７０４の分解図を示す。区域７０２及び７０４のそれぞれのメッシュ構造は、９７％〜９９％の開放面積を有していた。各線分の寸法は、２μｍ〜３μｍであった。
【０１２８】
第２のパターン化基材
第２の銀金属化フィルムを生成するために、第２の可視光線基材を使用して、第１のパターン化基材として第２のパターン化基材を作製した。第２の不連続六角形メッシュパターンとの間に介在する第２の連続六角形メッシュパターンを有する第２のスタンプを生成した。
【０１２９】
図２８、図２８ａ、及び図２８ｂは、第２基材の第１面上で、複数の第２の非連続的な区域７２４の間に交互に並ぶ、複数の第２の連続的な区域７２２を有する第２のパターン化された基材７２０を示す。第２の区域７２２のそれぞれには、一方の端部に、対応する５００μｍ幅の第２導電トレース７２６が配置されている。図２８ａは、六角形メッシュ構造を形成する複数の連続的な線を有する１つの第２区域７２２の分解図を示す。図２８ｂは、非連続的な六角形メッシュ構造を形成する複数の非連続的な線（各六角形における選択的な断絶部として示される）を有する１つの第２の非連続的な区域７２４の分解図を示す。選択的な破断点は、１０μｍ未満の長さを有していた。破断点は、約５μｍであるように設計及び推定された。それらの視認性を低減するためには、好ましくは破断点が１０μｍ未満、より好ましくは５μｍ以下、例えば１μｍ〜５μｍの間となるべきであることが判明した。区域７２２及び７２４のそれぞれのメッシュ構造は、９７％〜９９％の開放面積を有していた。各線分の寸法は、２μｍ〜３μｍであった。
【０１３０】
投影型静電容量タッチスクリーンセンサ要素の形成
上記のように作製された第１及び第２のパターン化基材を使用して、以下のように、２層投影型静電容量タッチスクリーン透明センサ要素を生成した。
【０１３１】
３Ｍ  Ｃｏｍｐａｎｙ，Ｓｔ．Ｐａｕｌ，ＭＮ製Ｏｐｔｉｃａｌｌｙ  Ｃｌｅａｒ  Ｌａｍｉｎａｔｉｎｇ  Ａｄｈｅｓｉｖｅ  ８１４１を使用して、第１及び第２のパターン化基材を互いに接着して、多層構成体を得た。手持ち式ローラーを使用して、接着剤を含まない第１及び第２の導電トレース区域７０６及び７２６の区域を有する２つのパターン化基材を積層した。Ｏｐｔｉｃａｌｌｙ  Ｃｌｅａｒ  Ｌａｍｉｎａｔｉｎｇ  Ａｄｈｅｓｉｖｅ  ８１４１を使用して、第１の基材の第１の面がフロートガラスに近接するように多層構造を厚さ０．７ｍｍのフロートガラスにラミネートした。接着剤を含まない第１及び第２の導電トレース区域７０６及び７２６により、第１及び第２のパターン化基材７００及び７２０への電気的接続をなすことができた。
【０１３２】
透明センサ要素の相互静電容量測定を行うために使用した集積回路は、ＰＩＣ１８Ｆ８７Ｊ１０（Ｍｉｃｒｏｃｈｉｐ  Ｔｅｃｈｎｏｌｏｇｙ，Ｃｈａｎｄｌｅｒ，Ａｒｉｚｏｎａ）、ＡＤ７１４２（Ａｎａｌｏｇ  Ｄｅｖｉｃｅｓ，Ｎｏｒｗｏｏｄ，Ｍａｓｓａｃｈｕｓｅｔｔｓ）、及びＭＭ７４ＨＣ１５４ＷＭ（Ｆａｉｒｃｈｉｌｄ  Ｓｅｍｉｃｏｎｄｕｃｔｏｒ，Ｓｏｕｔｈ  Ｐｏｒｔｌａｎｄ，Ｍａｉｎｅ）であった。ＰＩＣ１８Ｆ８７Ｊ１０は、システムのマイクロコントローラであった。これは、ＭＭ７４ＨＣ１５４ＷＭが駆動するセンサバーの選択を制御した。また、これは適切な測定を行うようにＡＤ７１４２を構成した。システムの使用には、当該技術分野において既知のように、較正値の数の設定が含まれた。これらの較正値は、タッチスクリーンごとに変動し得る。システムは、１６の異なるバーを駆動することができ、ＡＤ７１４２は１２の異なるバーを測定することができる。ＡＤ７１４２の構成には、変換するチャネルの数、静電容量のオフセットを適用すべき場合の測定を行う正確性又は迅速性の度合い、及びアナログ・デジタル変換器の接続を選択することが含まれた。ＡＤ７１４２からの測定値は、透明センサ要素のマトリックス内の導電性バー間の交差点の静電容量を表す１６ビット値であった。
【０１３３】
ＡＤ７１４２は、その測定を完了した後、割り込みを介して、データを収集するよう指示するためにマイクロコントローラに信号を送った。次いで、マイクロコントローラは、ＳＰＩポートを介してデータを収集した。データが受信された後、マイクロコントローラはＭＭ７４ＨＣ１５４ＷＭを次の駆動線にインクリメントし、ＡＤ７１４２における割り込みを解除し、次のデータセットを取得するように信号を送った。上記からのサンプリングが常に行われている間、マイクロコントローラはまた、シリアルインターフェースを介してモニターを有するコンピュータにデータを送っていた。このシリアルインターフェースは、当業者には既知のように、単純なコンピュータプログラムがＡＤ７１４２からの未加工データをレンダリングしてタッチあり及びなしの間で値がどのように変化するかを見ることができるようにした。コンピュータプログラムは、１６ビット値の値に依存して、ディスプレイ全体に異なる色をレンダリングした。較正に基づき、１６ビット値がある特定の値を下回った場合、ディスプレイ区域は白にレンダリングされた。較正に基づき、その閾値を超えると、ディスプレイ区域は緑にレンダリングされた。データは、４バイトヘッダ（０×ＡＡＡＡＡＡＡＡ）、１バイトチャネル（０×００−０×０Ｆ）、２４バイトのデータ（容量測定値を表す）、及びキャリッジ・リターン（０×０Ｄ）の形式で非同期的に送信された。
【０１３４】
システムの試験結果
透明センサ要素をタッチセンサ駆動デバイスに接続した。ガラス表面に指が接触すると、コンピュータモニタは、接触感知区域内で生じている接触の位置を、モニタの対応する場所の色の変化（白から緑）の形式でレンダリングした。ガラス表面に指が２つ同時に接触すると、コンピュータモニタは、接触感知区域内で生じている接触の位置を、モニタの対応する場所の色の変化（白から緑）の形式でレンダリングした。ガラス表面に指が３つ同時に接触すると、コンピュータモニタは、接触感知区域内で生じている接触の位置を、モニタの対応する場所の色の変化（白から緑）の形式でレンダリングした。
【０１３５】
（実施例４２）
微小複製された電極の一実施形態は、約２ｍｍ〜約５ｍｍの中心間の間隔で分離された、幅約０．５〜約５マイクロメートル（図５のＹ寸法）の平行な導電体を含む。隣接する導電体の群は、例えば、図８及び図９に関して記載されるプロセスを使用して、１ｍｍ〜１０ｍｍの合計幅を有する電極を形成するように、電気的に相互接続されてもよい。
【０１３６】
トレースは、矩形の微小複製された溝（１０μｍ幅（図５のＸ寸法）、２０μｍ深さ（図５のＺ寸法）、４ｍｍ間隔）を、本明細書に記載の及び参照される方法を使用して、ＰＥＴの透明基材上に形成することによって作製された。溝の平行な配列は１００ｍｍ幅であった。溝は、ＰＥＴウェブ方向に印刷されたため、これらの長さはウェブの長さであった（＞２０メートル）。
【０１３７】
溝は、Ｃｏｎｄｕｃｔｉｖｅ  Ｉｎｋｊｅｔ  Ｔｅｃｈｎｏｌｏｇｉｅｓ（ＣＩＴ）によって製造された種インクで充填された。インクの薄い層は、溝全体で平滑化され、次に過剰分がシルクスクリーニングと似たプロセスにおいてドクターブレードで除去された。次に、種インクが紫外線を使用して硬化された。溝がインクで充填された基材が、次に銅で無電解めっきされた。生じた微小導電体は、それぞれ、およそ９．６μｍ幅であった。インク充填、紫外線硬化、及び無電解めっきプロセスは、ＣＩＴによって行った。溝（＜１０μｍ幅、２０μｍ深さ、２ｍｍ間隔）を有する基材を有する微小導電体も、記載されたプロセスを使用して作製された。
【０１３８】
微小ワイヤ導電体を利用する電極設計
次に図２９〜３６を参照して、様々な微小ワイヤ電極の多数の実施形態について記載する。上述の微小ワイヤ印刷技術によって、個々の電極パターンに対して多大な設計の柔軟性が利用可能になる。かかる設計の柔軟性は性能特性を向上させることができる。例えば、米国特許出願公開第ＵＳ２０１０／００２６，６６４号、「Ｔｏｕｃｈ  Ｓｅｎｓｉｔｉｖｅ  Ｄｅｖｉｃｅｓ  ｗｉｔｈ  Ｃｏｍｐｏｓｉｔｅ  Ｅｌｅｃｔｒｏｄｅｓ」に更に記載されているように、透過性と呼ばれる機能、即ち、電界を電極に通過させて、指などの指示物体との容量結合しやすさを改善するように、電極設計を調整することが可能である。いくつかの配置では、透過性である上部電極が、指示物体（即ち、指）と、上部及び下部電極が互いに交差する場所に位置付けられた下部電極との間での容量結合をより良好に可能にしてもよい。このことにより、電極のより優れた信号対雑音性能が可能になってもよい。しかしながら、電極の穴又は空隙により、電極がユーザーにとってより視覚的に目立つものになることがあり、これは一般的には望ましくない。以下に示す実施形態は、概ね、基準メッシュ上で構造化され、連続的及び非連続的な微小ワイヤ導電体の領域を含み、それにより、電気的性能の改善と、電極のパターン化をより目立たなくする一貫した視覚的特性の両方をもたらしてもよい。
【０１３９】
図２９は、本発明の第１の実施形態によるセンサ電極の一部を例示する。図２９のセンサ電極パターンは、例えば、図２８に例示される電極の代わりに用いることができる。図２９のセンサ電極は、第１の固有平均セル間隔（８１０ａ）を有する不連続的な微小ワイヤの第１の基準メッシュから成る第１のパターンと、第１のパターンのネットワークから適合された第２のパターンとを含む、セル８１０の２つの完全に一致した微小パターンから構築され、第２のパターンは第１のパターンと完全に一致し、単一の電極８１７を形成する連続的な微小ワイヤ構造（８１０ｂ）のネットワークを備える。電極は、第１のパターン又は第２のパターンと同じ若しくは類似であってもよい第３のパターンに従う、不連続的な微小ワイヤの内部区域８１５を含む。（この図２９では、第１及び第２及び第３のパターンは、第１の格子メッシュに倣ってモデル化した同じパターン（４５°軸外の繰返しの正方形）であるが、他の実施形態では、第１、第２、及び第３のパターンは同じであってもよく、又は異なってもよい）。内部区域８１５は、第１の固有平均セル間隔よりも実質的に大きい寸法を有する。
【０１４０】
第１、第２、及び第３のパターンの選択は、感知デバイスの有効面積全体を通して均一な光学特性を確立するように設計される。一実施形態では、第１、第２、及び第３のパターンは全て、図２９に見られるように、同じパターン、即ち第１の格子メッシュに基づく。平均セル間隔は、メッシュを形成するパターン化された微小ワイヤの幅と共に、下にあるメッシュの平均開放面積と、光透過率及び反射率などの全体的なセンサ特性に主に影響を及ぼす光学密度とを決定する。下にあるメッシュの特定の局所区域が導電性（第２のパターン）であるか非導電性（第１および第３のパターン）であるかは、微小ワイヤの長さに沿って、小さい（かつほぼ不可視の）断絶部をパターン化することによって決定される。第１のパターン、即ち図２９の下にある格子メッシュは、印刷したページに対して軸を４５°に配向した、単純な正方形の配列から構築される。代替の設計は、三角形、角錐形、台形、平行四辺形、六角形、または他の繰返し形状を使用する、非限定的な格子メッシュパターンを含む、図２９に見られる格子メッシュパターンを含んでもよいことが理解されるであろう。いくつかの実施形態では、配列を作成するセルは直線の辺を有する多角形であってもよく、他の実施形態では、配列したセルの境界は、曲線、凸形、又は凹形であってもよい。配列を構成する複数のセルは必ずしも等しい面積でなくてもよいが、光学密度のために、局所的な平均セル間隔は好ましくは感知デバイス全体を通して均一に保たれる。代替実施形態では、配列のうち任意のものの主軸は、いずれかの任意角に沿って配設されてもよい。いくつかの実施形態では、第１のパターン格子メッシュは、必ずしもセルの規則的な繰返し配列から成っていなくてもよいが、その代わりに、いかなる視認可能な主軸も有さない、金属微小ワイヤのランダムネットワークから構築されてもよい。金属ワイヤの擬似ランダムネットワークが依然として、均一な光学特性を確立することができる、局所的な平均セル間隔によって特徴付けられるのが好ましいことがある。金属微小ワイヤのランダムネットワークであっても、ワイヤの長さに沿って適切な数の小さな断絶部をパターン化することによって、局所的に導電性又は非導電性にすることができる。
【０１４１】
３つのパターンはそれぞれ、平均セル間隔によって特徴付けられる。固有セル間隔は１０ミクロン〜１ミリメートルの間で変動し得るが、光透過率及びパターンの可視性の理由から、一実施形態におけるセル間隔は、好ましくは１００〜３５０ミクロンの範囲である。微小ワイヤ導電体は、０．２ミクロン〜１０ミクロンの幅でパターン化することができる。一実施形態では、微小ワイヤの幅は３ミクロン未満、好ましくは２ミクロン未満である。
【０１４２】
図２９に例示される第２のパターンである、電極８１７を備える電気的に連続的なパターンは、一実施形態では、第１のパターンのメッシュに完全に一致する。第２のパターンの設計は、タッチセンサのための電極の電気的機能及び回路を確立する。図２９の第２のパターンは、センサ電極配列における複数の上部列電極の１つとして機能する、垂直に配向された連続的な導電性電極として設計される。図２９に示されるパターンは、上部電極配列の１つであるが、下部電極配列の１つでもあり得る。代替実施形態では、図２９の第２のパターンに類似した第２のパターンは、いずれかの任意角に沿って方向付けられる電極を形成することができる。
【０１４３】
図２９の第２のパターンによって確立されるセンサ電極は、第３のパターンによる内部区域８１５を含む。内部区域は、不連続的な、即ち断絶された微小ワイヤのメッシュを備えるが、いくつかの実施形態では、第１のパターンに非常に類似するか、又はそれと同じである。内部区域は、一実施形態では、任意の方向にわたって３５０ミクロン超の寸法を含む。第３のパターンによって形成される内部区域内において、第１のパターンの下にあるメッシュは、空隙内のメッシュを非導電性にするため、微小ワイヤに沿って断絶部を含む。内部区域は、一実施形態では、第１のパターンと完全に一致するようにパターン化される。
【０１４４】
図２９の第２のパターンに示される内部区域８１５は、センサ電極８１７の長さに沿って配置することができる更に多数の内部区域のうち２つのみを表している。例えば、これらの内部区域の１つ以上は、下部電極と関連付けられる交差点の上で中央に位置してもよく、内部区域は、下部電極の間隔と同じピッチを有する。図２９の列電極内に非導電性の内部区域又は穴が存在することによって、指又は任意の接地した物体が行電極及び列電極のうち１つの交点付近に置かれたときにセンサによって検出される、容量差信号が増加する。内部区域が存在することによって、下にある行電極から発する電界に対する列電極の透過率が増加する。一実施形態では、列電極の第２のパターンの内部区域は、第１又は第２のパターンの少なくとも２つのメッシュセルに等しい距離に及ぶ。更なる実施形態では、第３のパターンによって画定される電極における内部区域は、任意のパターン方向における第１のパターン又は第２のパターンの平均セル間隔（若しくはメッシュサイズ）の少なくとも２倍の大きさであるべきである。一般に、横幅３５０ミクロンの大きさの列電極内に任意のパターン化された微小パターンを有さない内部区域（即ち、裸の穴）は、人間の眼にとって十分に目立つ大きさであろう。しかしながら、図２９では、内部区域は、第１又は第２のパターン（図２９に示される実施形態において言及したように、同じである）のメッシュの連続で充填されて、内部区域を人間の眼には実質上見えなくなるようにする、均一な光学密度が達成される。換言すれば、第１のパターンは基準メッシュを確立するものと考えてもよく、第２及び第３のパターンはこの基準メッシュと完全に一致する。この方式では、横幅１〜５ｍｍの大きさの電極内の内部区域を、パターンの可視性というリスクが低減されたセンサ電極の形に設計することができる。
【０１４５】
図２９の第２のパターンによって確立されるセンサ電極の幅「Ａ」は、いくつかの実施形態では、２００ミクロン〜１０ミリメートルの範囲であり得る。
【０１４６】
図３０ａは、第２の実施形態によるセンサ電極の一部を例示する。図３０ａのセンサ電極パターンは、図２８に例示される垂直電極の代わりに用いることができる。図３０ａのセンサ電極は、第１の固有平均セル間隔を有する第１のメッシュから成る第１のパターンと、第１のパターンのネットワークから適合された、導電性電極８１７Ｂを備える第２のパターンと、電極８１７Ｂ内に内部区域８１５Ｂを備える第３のパターンとを含む、完全に一致した微小パターンから構築され、内部区域は、第１の固有平均セル間隔よりも大幅に大きい内部寸法を有する。図３０ａに示される第１の微小パターンは、図２９で用いられた下にあるメッシュパターンと同じである。規則的な六角形メッシュパターン、又は金属微小ワイヤのランダムネットワークを含む、図２９に関して記載される代替のメッシュパターンのいずれかを有用に置き換えることができる。
【０１４７】
上部センサ電極の機能的な形状を確立する図３０ａの第２のパターンは、下にあるメッシュセルの連続的なチェーンを導電性にして、第１のパターンによる単一の平均セルと局所的にのみ同じ幅である電極を作製することによって構築される。しかしながら、図３０ａの完全なセンサ電極は、下にある第１のパターンのセルから全て構築される、導電チェーンの撚り合わせたラダー又はトレリスから成る。ラダーの横木の間、又は第２のパターンのトレリスのつる（vines）の間で、第１のパターンの下にあるメッシュは、微小ワイヤの小さな断絶部を用いて非導電性にされて、内部区域８１５Ｂが形成される。図３０ａに示される実施形態では、内部区域を備える第３のパターンは、第１及び第２のパターンと同じである。他の実施形態では、それらは異なってもよい。図３０ａの特定の実施例では、第２のパターンの導電性セルは、より大きい菱形の接続された配列又は上部構造としてレイアウトされ、パターンは、図面の垂直軸に沿って連続的に延在する。菱形の両側における導電チェーン間の距離は、下にあるメッシュ構造からちょうどセル７個分である。したがって、図２９に類似した方式で、図３０の電極パターンは、第２のパターンの導電トレースによる、一連の非導電性内部区域を含む。これらの大きい非導電性区域によって、図３０ａに例示されるセンサ電極の透過性は増加し、空隙によって、接地した物体（指など）が行電極及び列電極の交点付近に置かれたときに、センサによって検出される容量差信号が増加する。
【０１４８】
図３０ａの第２のパターンによって確立される、その最も幅広の地点におけるセンサ電極の幅は、一実施形態では、２００ミクロン〜１０ミリメートルの範囲である。
【０１４９】
図３０ａでは、より大きい菱形の上部構造を構築するのに使用される導電トレースは、わずかに、下にあるメッシュ構造、即ち基準メッシュの単一のセル程度の幅である。代替実施形態では、導電トレースは、２つ、３つ、４つ、又はそれ以上のセルの幅であり得る。それに加えて、上部構造の導電トレースは、必ずしもそれらの長さに沿って均一な幅でなくてもよい。図３０ａに類似した第２のパターンの導電チェーンは、下にあるメッシュの１つ、２つ、又は３つのセルを交互に組み込んだ幅の区画で構成されてもよい。代替実施形態では、第１の微小パターンが金属微小ワイヤのランダムなネットワークから構築される場合、上部構造における導電区画の幅は、固有平均セル間隔よりも大きい任意の平均分数によって特徴付けられてもよい。例えば、導電トレースの有効幅は、平均セル間隔の１．１倍、又は１．６倍、又は平均セル間隔の２．３倍であってもよい。
【０１５０】
図３０ａでは、第２のパターンの上部構造の導電トレース内にメッシュ格子を形成する微小ワイヤは、断絶したトレースとして示されている。したがって、導電トレースは、第２のパターンにおける導電トレースの方向に直交する方向の導電性が導電トレースの長さに沿った導電性に比べて非常に低い、異方性の導電性アスペクト（conductive aspect）を有する。しかしながら、代替実施形態では、第２のパターンの導電性が最大限かつ異方性になるように、導電トレース内の全ての微小ワイヤを、破断部を有さずにパターン化することができる。
【０１５１】
次に図３０ｂを参照すると、図３０ａに関して示したものと類似の電極構成が示されるが、この場合、電極８１７ｂから電気的に絶縁されたアイランド８１９を、電気的に不連続的な内部区域８１５ｂ内に追加的に含んでいる。アイランド８１９は、この実施形態では、パターン１、パターン２、及びパターン３を形成する、下にあるメッシュパターンにしたがった、かつそれと完全に一致した、電気的に不連続的な微小ワイヤで形成される。図３０ｃは、可能な電極構成の更なる実施形態を示す。
【０１５２】
図３１ａは、電極の更なる実施形態を例示する。図３１ａのセンサ電極は、第１の固有平均セル間隔を有する第１のメッシュから成る第１のパターンと、第１のパターンのネットワークから適合された、導電性電極８１Ｃを備える第２のパターンと、電極８１７Ｃ内に内部区域８１５Ｃを備える第３のパターンとを含む、完全に一致した微小パターンから構築され、内部区域は、第１の固有平均セル間隔よりも大幅に大きい内部寸法を有する。図３１ａに例示される第１の微小パターンは、図２９に関して示したのと同じ、下にあるメッシュパターンを利用する。規則的な六角形メッシュパターン、又は金属微小ワイヤのランダムネットワークを含む、図２９に関して記載される代替のメッシュパターンのいずれかを有用に置き換えることができる。導電性電極の機能的形態を確立する図３１ａの第２のパターンは、下にあるメッシュから電気的に連続的な、即ち断絶していない導電性セルを備える。電極８１７Ｃを形成する図３１ａの第２のパターンの導電トレースは、トレリス型の構造としてレイアウトされている。トレリス構造のいくつかの部分では、導電トレースは、下にあるメッシュ構造、即ち基準メッシュからのセル２つ分の幅であり、トレリスの他の部分では、導電トレースはセル１つ分のみの幅である。導電トレース間に形成される内部区域は、水平方向でセル４つ分の幅、垂直方向でセル９つ分の高さである。下にある第１のパターンの光学密度はセンサ全体にわたる全ての位置において一定に保たれ、その結果、図３１ａのトレリス（導電性上部構造）の特定の形状は、人間の眼にとって実質的に目立たなくなる。
【０１５３】
図３１ａの第２のパターンによって確立されるセンサ電極８１７Ｃの幅は、いくつかの実施形態では、２００ミクロン〜１０ミリメートルの範囲である。
【０１５４】
図３１ｂは、図３１ａに関して示した電極構成に対する変形例を示す。電極８１７ｃｃは、電極８１７ｃｃに電気的に接続され、そこから外側に延在する分岐要素８１８を含む。図３１ａに関して示された実施形態では、分岐要素は内部区域内へと延在する。分岐要素は、第３のパターン（内部区域と関連付けられるパターン）と完全に一致する。分岐要素のパターンは、第１のパターンの基準メッシュとも完全に一致する。分岐要素は、連続的な微小ワイヤから成る。
【０１５５】
任意の２つの分岐要素間の距離は、下にあるメッシュの平均固有セル間隔以上である。電極８１７ｃｃに関して示される分岐要素８１８は、内部区域８１５ｃの第３のパターンのメッシュ内における２つの固有セル間隔に等しい距離だけ分離される。代替実施形態では、分岐要素間の分離を、一般には下にある基準間隔の整数倍だけ、増加又は減少させることによって、分岐要素のより高い又は低い密度を内部区域内に提供することができる。この方式では、これらの内部区域と関連付けられる電界に対する透過性の品質は、特定の用途に適応するように調整することができる。
【０１５６】
電極８１７ｃｃに使用される連続的な微小ワイヤ導電体は、固有平均幅を有し、分岐要素の幅は同じであり、即ち、分岐要素は、電極８１７ｃｃの幹部部分を備える電気的に連続的な微小ワイヤ導電体の形状を有してもよい。
【０１５７】
図３１ｃは、図３１ａ及び３１ｂに関して示した電極構成に対する更に別の変形例を示す。電極８１７ｃｃｃは、図３１ａ及び３１ｂに関して示した内部区域を含まない。電極８１７ｃｃｃは主電極幹部８１９を有し、幹部から外側に延在するのは、下にある基準メッシュと完全に一致する連続的な微小ワイヤでそれぞれ形成される分岐要素８１８である。分岐要素は、下にある基準メッシュパターンとやはり完全に一致する電気的に不連続的な、即ち断絶された微小ワイヤを備える、第１のパターンの周囲領域内へと外側に延在する。下にある基準メッシュの各セルは固有平均セル間隔を有し、分岐要素間の距離は少なくともセル１つ分である。図示される実施形態では、各分岐要素は、１つ以下の端子領域で電極幹部に結合する。電極８１７ｃｃｃの主要幹部は第１の方向に沿って配設され、分岐要素は、第１の方向に対してほぼ横断する方向に沿って外側に延在する。
【０１５８】
分岐要素８１８の長さは、基準メッシュの固有平均セル間隔よりも長い。いくつかの実施形態では、分岐要素は固有平均セル間隔の５倍超の長さであることができ、他の実施形態では、分岐要素は固有平均セル間隔の１０倍超の長さであることができる。図３１ｃの電極８１７ｃｃｃに取り付けられる分岐要素８１８は、複数の異なる長さを有する。いくつかの実施形態では、長さは、導電性電極の好ましい外形又は形状にぴったり一致するように選択される。例えば、電極８１７ｃｃｃの分岐要素は、総合すれば、中央の幹部を中心にした菱形形状にぴったり一致する。
【０１５９】
電極８１７ｃｃｃの静電容量感度、及び位置の関数としてのその透過性は、分岐要素８１８の長さ及びそれらの間の間隔における設計の変形を用いて調整することができる。例えば、電極８１７ｃｃｃの分岐要素は、下にある基準メッシュのセル１つ分の間隔で離間される。代替実施形態では、分岐要素は、セル２つ又は３つ分の間隔の距離で離間させることができる。
【０１６０】
図２７及び２８に例示されるように、タッチセンサは、一般に、互いに平行に配置される複数の電極を用いる。しかしながら、センサの容量性の接触反応は、平行な接触電極を横切り、その間を通る小さい物体に対して、常に均一ではない。図３１ｃに例示されるものと類似した分岐要素８１８を使用して、平行電極間の空間を充填し、センサ反応を円滑にすることができる。平行な接触電極から外側に延在し、それらの間に配置される微小ワイヤ分岐要素を用いることによって、背景の静電容量全体に対する付加をほとんど伴うことなく、各電極のセンサ反応を改善することができる。いくつかの実施形態では、隣接する電極からの微小ワイヤ分岐要素は、接触電極間の空間内で交互配置又は混合させることができる。この接触電極の混合によって、接触物体のサイズが小さいことにも係わらず、２つの隣接する電極それぞれからの接触反応を同時に記録できることが確保される。接触位置は、隣接する電極からの静電容量信号の補間として計算される場合が多いので、平行電極間で分岐要素を混合させることが可能であることによって、タッチセンサからの報告の精度が改善される。
【０１６１】
図３２は、更なる電極の実施形態を例示する。図３２のセンサ電極は、固有平均セル間隔を有するセルから成る第１の下にある基準メッシュパターンと、第１のパターンのネットワークから適合された、導電性電極８１７ｃを備える第２のパターンと、電極８１７ｄ内に内部区域８１５ｄを備える第３のパターンとを含む、完全に一致した微小パターンから構築される。第２のパターンは、第１のパターンと比較して、より大きい固有セル間隔を有する。第２のパターンは、スーパーセルの配列を含み、スーパーセルはそれぞれ、第１のパターンからの整数倍のセルを備える（９つの第１のパターンのセルが、図３２に示されるスーパーセルに含まれる）。第２のパターンの固有セル間隔は、第１の固有セル間隔の整数倍（２以上）である（図３２では、倍数は３である）。電極８１７ｄを画定する微小ワイヤは全て、断絶部を有さずにパターン化され、連続的に導電性である。電極８１７ｄの内部区域は、第３のパターン（この実施形態では、第１のパターンと同じ）にしたがってパターン化され、微小ワイヤの長さに沿った断絶部を用いて非導電性にされて、内部区域が電気的に絶縁された区域にされる。
【０１６２】
図３２のセンサ電極８１７ｄは、第２のパターンのスーパーセルの配列によって確立される。図３２の第２のパターンのスーパーセル配列は、垂直軸に沿って連続的に導電性である電極８１７ｄを確立し、例えば、図２８に例示される列電極の１つとして用いることができる。図３２の第２のパターンは、２つ及び３つのスーパーセルを交互にすることによって確立される幅を有する。図３２の有効電極幅は、２００ミクロン〜１０ミリメートルの範囲のどこかであり得る。
【０１６３】
図２９に関して記載した代替のメッシュパターンのいずれかを、図３２に示される完全に一致した格子構造において実現することができる。例えば、第２の導電性パターンは、横幅９００ミクロンであり得る六角形セルから成ることができ、第１のパターンは横幅３００ミクロンの六角形セルから成る。第１のパターンのメッシュが微小ワイヤの擬似ランダムネットワークから形成される一実施形態では、第２のパターンもまた、微小ワイヤのランダムネットワークとして設計することができる。この擬似ランダムの実施形態では、第２の固有セル間隔が、第１の固有セル間隔よりも大きい任意の距離であることが可能である。しかしながら、透過性の有用な増加を達成するために、第２の固有セル間隔は第１の固有セル間隔の少なくとも２倍であることが好ましい。
【０１６４】
図２７及び２８に示される、単純に接続された電極形状と比較すると、内部区域（及び本明細書で考察する他の実施形態に関して記載される、対応する内部区域）を図３２の上部電極に含めることは、いくつかの利点を示してもよい。図３２の電極構造の透過性は大幅に向上される。例えば、両方の電極における下にあるメッシュは、２００ミクロンの固有間隔（パターンの広範囲な光学密度を決定する間隔）を有するセルから成ってもよいが、図３２の上部構造の導電性メッシュ（電極１７Ｄを形成する第２のパターン）は、８００、１０００、又は１２００ミクロンの遥かに大きい固有セル間隔を有することができる。第２のパターンの導電トレースの間にある内部区域によって、下にある下部電極から電界を浸透させることが可能になる。それに比例して、上部及び下部電極を結合する電界の大部分は、通常は近傍の指又は導電性物体と相互作用することができる、センサの上方に延びるフリンジ電界になる。これらのフリンジ電界の割合又は有用性は、図３２における導電性の第２のパターンの間隔と、ａ）上部及び下部電極を分離する絶縁体の厚さ、又はｂ）上部電極をセンサ上に置かれた指から分離する被覆絶縁体の厚さのどちらかとの比に応じて変わってもよい。一実施形態では、導電性の第２のパターンのセル間隔が、上記に定義した厚さのどちらか又は両方の少なくとも１／４であるのが好ましいことがあり、セル間隔がそれらの厚さのどちらかまたは両方の少なくとも１／２であることがより好ましい。上部構造の導電性メッシュにより、図３２の第２のパターンで、３５０マイクロメートル超、いくつかの実施形態では６００マイクロメートル超のセル間隔が可能になるので、上部構造メッシュにより、１ミリメートル超の厚さ、いくつかの実施形態では２ミリメートル超の厚さの被覆絶縁体を有する透過性センサの設計が可能になる。
【０１６５】
電極から電気的に絶縁された電極のパターン化された内部区域を含む、本明細書に記載される実施形態によって、第２のパターンの導電トレースが覆うのが電極の表面積の１パーセント未満、多くの場合は表面積の０．５％未満である、電極構造が可能になる。これらの低い比率は、改善された透過性に特徴的である。
【０１６６】
本明細書に記載される実施形態は、投影型静電容量センサの性能に対する別の利点を示してもよい。指が存在する状態でセンサによって検出される容量差信号は、センサ電極の透過性に伴って増加し、それと同時に、指とセンサ電極との間の絶対的な容量結合は、透過性がより低い電極に比べて減少する。感知機能を妨害する可能性がある雑音信号は、センサ電極と指との間の静電容量に対応する傾向があるので、図３２の導電性上部構造の透過性（又は金属トレースに覆われる表面積が比較的小さいこと）によって、感知信号が改善されると同時に、センサの雑音感受性が低減される。
【０１６７】
図３３は更なる実施形態を例示する。図３３のセンサ電極は、第１の固有平均セル間隔を有する第１のメッシュから成る第１のパターンと、第１のパターンのネットワークから適合された、導電性電極８１７ｅを備える第２のパターンと、電極８１７ｅ内に内部区域８１０ｅを備える第３のパターンとを含む、完全に一致した微小パターンから構築され、内部区域は、様々な異なるサイズ及び形状を有する。電極８１７ｅを画成する微小ワイヤは、断絶部を有さずにパターン化され、連続的に導電性である。電極８１０ｅの内部区域を備える第３のパターンのセルは、微小ワイヤの長さに沿った断絶部を用いて、電極８１７ｅから電気的に絶縁される。
【０１６８】
第３のパターン、即ち電極８１７ｅの内部区域８１５ｅは、図３２に示される電極構成に関して示されたものとは対照的に、均一ではない。図３３に示される電極の左縁部及び右縁部付近では、内部区域は、下にあるメッシュパターン（第１のパターン）のセルの４倍の大きさである。電極８１７ｅの中央付近では、内部区域８１５ｅのセルは第１のパターンの２倍に過ぎない。
【０１６９】
導電性電極を備える第２のパターンは、均一でないセル間隔によって特徴付けられる。図３２に例示される導電性電極は、固定した固有のセル間隔を有するスーパーセルとして特徴付けられたが、一方で、電極８１７ｅの上部構造のセル間隔は位置の関数として変動する。電極８１７ｅの左縁部及び右縁部に沿って位置する連続的なメッシュのセル間隔は、中心軸に沿って見られるセル間隔よりも大きい。
【０１７０】
図３３の導電性の第２のパターンを備えるメッシュセルは概して等方性であり、つまり、セル寸法は２つの直交方向でほぼ等しく、下にあるメッシュからのセル寸法の整数倍（２以上）である。
【０１７１】
図２９に関して記載した代替のメッシュパターンのいずれかを、図３３に示される完全に一致した格子構造において用いることができる。例えば、第２の導電性パターンは、その寸法が第１のパターンからの六角形セルの寸法の２倍以上である、六角形セルから成ることができる。第１のパターンのメッシュが微小ワイヤの擬似ランダムネットワークから形成される一実施形態では、導電性の第２のパターン及びその電気的に絶縁された内部区域もまた、微小ワイヤの擬似ランダムネットワークとして設計することができる。この擬似ランダムの実施形態では、導電性の第２のパターンにおけるワイヤ間の平均距離は、下にある第１のパターンの平均固有セル間隔の少なくとも２倍であってもよい。
【０１７２】
図３３の電極８１７ｅの中心軸に沿って、図３１ａ、ｂ、及びｃに示される実施形態のものに類似した、導電トレース、即ち幹部が設計されている。この導電性幹部は、接続された導電性メッシュセルのチェーンから成り、中央の幹部は、下にある第１のパターン又は基準メッシュ構造の単一のセルの幅に過ぎない。
【０１７３】
タッチセンサの１つの電気的設計では、タッチセンサの容量差信号は、指とセンサ電極との間の絶対的容量に比例する。図３２及び３３に例示されるものなどの電極の場合、指とセンサ電極との間の静電容量は、第２のパターンの導電性微小ワイヤの数及び密度に伴って増加する。電極８１７ｅの設計によって、センサ電極に沿った位置の関数としての、センサと物体（即ち、指）との間の静電容量の変動が可能になってもよい。センサ電極の外見上の局部的な中心点はＸＸ位置に位置する。物体がＸＸ位置を通る垂直線から離れて左側又は右側のどちらかに移動するにつれて、第２のパターンの導電性メッシュの密度が低下し（又はセル間隔が増加し）、ＸＸ位置を通る水平線から離れてセンサ電極の頂部又は底部のどちらかに向かって移動するにつれて、第２のパターンのメッシュの密度が低下する。上部構造メッシュの密度は、指が中心点ＸＸから離れて移動するにつれて、ほぼ等方的に、かつ半径方向で低下する。結果として、図３３の第２のパターンの導電性メッシュによって、センサのＸＸ中心点からの局部的距離の関数としての、容量差信号の変動が可能になる。センサ反応のこの設計された変動により、センサは、電極構造内における内部区域の類似した分布又は多様性を含まないセンサと比較して、遥かに優れた精度で、指の位置を検出し解釈することができる。
【０１７４】
図３３に関して示される特定の実施形態では、電極８１７ｅを備える第２のパターンのセル間隔は、４００〜１０００ミクロンの間で位置に応じて変動する。第２のパターンの導電性メッシュの密度、及び局部的な静電容量は、１ｍｍ未満分離したセンサ上の地点間で大幅に変動する。構造はまた、隣接したセンサ電極間の５〜７ミリメートルのピッチと互換性がある。かかる構造は、内部区域の変動と共に、センサ電極間のピッチよりも大幅に小さい物体の場合であっても、小さい指の位置検出及び直径１ｍｍ程度の小さいスタイラスの位置検出に適応してもよい。
【０１７５】
図３３、及び電極設計の他の類似の例示は、より長い感知電極の一部のみを例示することが理解されるであろう。図３３に示されるメッシュパターン全体を、垂直電極、即ち列電極の全長に沿って、他の電極配列の電極のピッチにしたがって周期的に繰り返すことができ、その場合、電極はセンサ配列の複数の上部列電極の１つである。電極８１７ｅのパターンの局部的な中心点ＸＸは、行電極と列電極の交点の中心点と完全に一致する。電極８１７ｅのパターンは各上部電極の長さに沿って繰り返すので、複数の局部的な中心点ＸＸが、行電極及び列電極それぞれの交点に見出されるであろう。
【０１７６】
図３３の第２のパターンによって確立されるセンサ電極の中心点ＸＸのピッチは、２００ミクロン〜１０ミリメートルの範囲であり得る。上部電極、即ち列電極の、最大水平幅又は範囲は、ピッチの一部である任意の幅であることができ、例えば、電極の幅はピッチの２０％〜ピッチの９８％であってもよい。交差する行電極の幅は、ピッチの一部である任意の幅であることができ、例えば、幅はピッチの３０％〜ピッチの９８％であってもよい。好ましくは、下部電極、即ち行電極の幅は、ピッチの７０％〜９８％であろう。
【０１７７】
図３４は、電極構成の更なる実施形態を例示する。図３４のセンサ電極は、第１の固有平均セル間隔を有する第１のメッシュから成る第１のパターンと、第１のパターンのネットワークから適合された、導電性電極８１７ｆを備える第２のパターンと、電極８１７ｆ内に内部区域８１５ｆを備える第３のパターンとを含む、完全に一致した微小パターンから構築され、内部区域は、様々な異なるサイズ及び形状を有する。第２のパターンのセルを画成する微小ワイヤは全て、断絶部を有さずに提供され、連続的に導電性である。電極８１７ｆの内部区域８１５ｆは、微小ワイヤの長さに沿ったパターン内の断絶部を用いて、電気的に不連続的にされ、電極８１７ｆから絶縁され、かつ非導電性にされる。
【０１７８】
図３４に関して示される電極における第２のパターンのセル間隔は、図３３のセルサイズの変動が図３４に示されるもののように等方性でない点を除いて、図３３に関して示した電極と類似した方法で、センサに沿って位置に伴って変動する。図３４の左縁部及び右縁部付近では、導電性の第２のパターンのセルは、下にあるメッシュパターンのセルの４倍の大きさである。図３４の垂直中心線付近では、第２のパターンのセルは第１のパターンの３倍に過ぎない。図３４の上部構造の第２のパターンを備えるセルは矩形である。例えば、「ＰＰ」と印を付した上部構造は、水平に沿って、下にあるメッシュのセル寸法の４倍の幅と、垂直に沿って、下にあるメッシュのセル寸法の８倍の高さとを有する。
【０１７９】
図２９に関して記載した代替のメッシュパターンのいずれかを、図３４に示される完全に一致した格子構造において用いることができる。ほぼ矩形の上部構造セルは、依然として、おおよそ六角形セル幅の４倍の幅及び六角形セル幅の８倍の高さである、下にある六角形セルの集合体を結合することによって形成することができる。第１のパターンのメッシュが微小ワイヤの擬似ランダムネットワークから形成される一実施形態では、導電性の第２のパターンもまた、微小ワイヤの擬似ランダムネットワークとして設計することができる。このランダムな実施形態では、導電性の第２のパターンのワイヤ間の平均距離は、必ずしも２つの直交方向に沿って等しくなくてもよい。
【０１８０】
図３４の中心線に沿って、上述した実施形態で用いたものと類似した、第２のパターンの導電性幹部が示される。この導電性幹部は、垂直軸に沿った、単一の幅の隣接したメッシュセルの外形から成る。導電性セルのこの中心列の第３のパターンにしたがった内部区域を備える横方向の微小ワイヤは、断絶したトレースとして維持される。
【０１８１】
図３４の上部構造導電性メッシュの場合、静電容量の変動は、センサ電極に沿った位置の関数として提供されている。センサ電極の外見上の局部的な中心点はＱＱ位置に位置する。上部構造導電性メッシュの密度は、指示物体がＱＱ位置を通る垂直線から離れて左側又は右側に水平移動するにつれて低下する。しかしながら、指がＱＱを通る水平線から離れて垂直移動するにつれて、上部構造メッシュの密度はほとんど変化しない。したがって、上部構造メッシュの密度は、中心点ＱＱからの距離に伴う等方性の変動を有さない。その代わりに、図３４の電極の上部構造は、垂直中心線を中心にした鏡像対称性を有する密度の変動を示すように設計される。
【０１８２】
図３５は、電極構成の更なる実施形態を例示する。図３５のセンサ電極は、第１の固有平均セル間隔を有する第１のメッシュから成る第１のパターンと、第１のパターンのネットワークから適合された、第２のパターンとを含む、２つの完全に一致した微小パターンか構築され、第２のパターンは様々なより大きいセル間隔を有する第２の上部構造メッシュを備える。第２のメッシュの境界を画定する微小ワイヤは全て、断絶部を有さずにパターン化され、連続的に導電性である。第２のパターンの空隙内に位置する第１のパターンのセルは、微小ワイヤの長さに沿った断絶部を用いて非導電性にされる。
【０１８３】
図３５の上部構造は図３４のものに類似しているが、但し、図３５の電極パターンの全幅又は範囲は図３４に示されるものよりも狭く、上部構造におけるセル間隔の変動は遥かに目立たない。導電性の第２のパターンを備える上部構造セルは矩形であり、密度の変動は、垂直の幹部又は中心線を中心にした鏡像対称性を示す。
【０１８４】
図３５のセンサ電極の幅を測定した場合、上部構造パターンは６本の垂直導電線から成り、図３４のパターンは８本の垂直導電線から成ることに気付くであろう。結果として、図３５の電極パターンは、上部電極と指との間に有する合計の静電容量がより小さくなる。いくつかの用途では、この指に対する低減された静電容量は、静電容量センサの出力に対する信号対雑音比の改善をもたらすことができる。しかしながら、図３４に示されるパターンは、各列に沿った８本の垂直線を有する電極が、電極のフローに対するより冗長な経路を提供し、それによって、導電トレースの断絶又は不適正なパターン化による、障害を引き起こす欠陥の確率をより低くして製造されてもよいので、センサの製造業者に対して利点を示すことがある。
【０１８５】
しかしながら、図３４及び３５に関して示される電極の導電性メッシュにおけるより大きい上部構造セル間隔により、図３４及び３５のセンサパターンにおける指に対する合計静電容量は、下にあるメッシュの８つの垂直に並んだほぼ隣接するセルからセンサパターンが構築された場合に達成されるであろう静電容量よりも大幅に低い。結果として、図３４及び３５に示される電極は、類似の幅を有する単純に接続されたメッシュに基づく電極構造よりも、高い透過性及び指に対する低い静電容量を示す。
【０１８６】
図３５に示される実施形態の変形例では、行及び列の各交点の水平中心線に沿って垂直トレースから左側及び右側に突出する、導電性セル（第２のパターン）の横方向のトレリス又は延長部を付加することができる。電極パターンのこの横方向の延長は、上部電極と指との間の合計静電容量を多少増加させるが、指がセンサ電極の長さに沿って上下に移動するにつれて、容量差信号の変動ももたらす可能性がある。したがって、導電性セルの横方向の延長は、センサ電極と指との間の合計静電容量をほとんど増加させることなく、位置報告の精度を改善することができる。
【０１８７】
図２９〜３５に関する実施形態は、主に上部電極の文脈で記載してきたが、類似の設計及びパターン化を下部電極に使用することができる。換言すれば、下部電極は、下部電極から電気的に絶縁された、但し断絶部又は分岐要素を備えたパターン化された微小導電体を含む、内部区域を含むことができる。
【０１８８】
図３６は、電極構成の更なる実施形態を例示する。図３６のセンサ電極は、第１の固有平均セル間隔を有する第１のメッシュから成る第１のパターンと、第１のパターンのネットワークから適合された、導電性電極を備える第２のパターンと、電極内に内部区域８１５ｂを備える第３のパターンとを含む、完全に一致した微小パターンから構築され、内部区域は、様々な異なるサイズ及び形状を有する。電極の内部区域８１５ｂは、微小ワイヤの長さに沿った断絶部を用いて、電気的に不連続的にされ、電極から絶縁され、かつ非導電性にされる。
【０１８９】
図３６に関して示される第２のパターンのセル間隔は、電極内での位置に伴って変動する。しかしながら、図３３〜３５の電極とは対照的に、図３６に示される実施形態の上部構造セルは、電極の縁部に比べて中心にある方が大きい。図３６の菱形パターンの中心付近では、導電性の第２のパターンの上部構造セルは、下にある基準メッシュのセルの３倍の大きさである。しかしながら、菱形の外角付近では、セルサイズはより小さい。
【０１９０】
図３６に示される電極は内部区域８１５ｂを含む。内部区域のサイズは、電極内における位置の関数として変動する。菱形の中心にある内部区域は、外縁部付近に見られるものよりも大きい。
【０１９１】
図３６に示される電極によって、センサ電極に沿った物体の位置の関数として、センサと物体（即ち、指）との間で静電容量が変動する設計が可能になる。物体が菱形の中心から縁部に向かって移動するにつれて、第２のパターンの導電性メッシュの密度が増加する（かつセル間隔が減少する）。上部構造メッシュの密度は、指が中心点から離れて移動するにつれて、ほぼ等方的に、かつ半径方向で増加する。この設計された変動の透過性又はセル間隔により、いくつかの実施形態では、電極を横切って指を移動させるにつれて、センサ反応のより段階的な変動が可能になる。
【０１９２】
上部電極及び下部電極もまた、クロスオーバー領域又はノード（例えば、タッチパネルの中で上部電極が下部電極を横切るところ）での、これらのパターンが補完的であるように設計することができる。即ち、上部電極及び下部電極の活性領域導電体トレース密度は、ともに個別の導電トレースで形成された微小ワイヤパターンで構成され、上部電極の活性トレースの面密度は、クロスオーバー領域で、下部電極内の活性トレースの面密度と比べて、逆に変化するようなパターン設計及びトレース密度を有することができる。
【０１９３】
活性トレースは単一の電極を形成する連続する微小ワイヤ構造のネットワークを構成するトレースである。これらの用語「微小ワイヤ」及び「トレース」は、本明細書において互換性があるようにして使用されている。断続的微小ワイヤ構造は、活性トレースの面密度に寄与しない。ある領域内の活性トレースの面密度（活性領域導電体密度）は、活性トレースの長さを合計し、その長さ（例えば、マイクロメートルで表す）を面積（例えば、平方マイクロメートルで表す）で割ることによって決定される。活性トレースの面密度の単位は、長さの逆数の単位であり、例えば１／マイクロメートル、１／ミリメートル、又は１／センチメートル（また、本明細書において逆マイクロメートル、逆ミリメートル、及び逆センチメートルとしても表す）。説明のための実施例としては、１００マイクロメートルのピッチで１マイクロメートル幅のトレースの正方形グリッド形態をなす連続するメッシュ電極は、活性トレースの面密度（２００マイクロメートル／（１００マイクロメートル×１００マイクロメートル）＝０．０２逆マイクロメートル＝２０逆ミリメートル）を有する。更なる例として、５０、１００、１５０、２００、２５０、３００、３５０、４００、４５０、５００、１０００、２５００、５０００、及び１００００マイクロメートルのピッチで、１マイクロメートル幅のトレースの正方形グリッド形態をなす連続するメッシュ電極は、それぞれ４０、２０、１３．３、１０、８、６．７、５．７、５、４．４、２、０．８、０．４、及び０．２逆ミリメートルの活性トレースの面密度を有する。
【０１９４】
連続する微小ワイヤ構造に対する活性トレースの面密度は、均一でも不均一でもよい。活性トレースの不均一な面密度は、本明細書において、変化する活性トレースの面密度（即ち、電極は可変活性領域導電体密度を有する）であるとして記載されている。当業者が理解するように、面密度の均一性又は不均一性を決定するのに合理的な空間分解能を目標とするため、微小ワイヤ構造の間隙を考慮しなければならない。両極端で不合理な例として、たとえ当業者は、一定のピッチで正方形グリッド形態をなすメッシュ電極が均一な活性トレースの面密度を有することを理解していても、十分高い（例えば、グリッドセルの大きさよりはるかに小さい領域を分析する）分解能で面密度分析を実行することができれば、かかるグリッドは不均一（例えば、トレースに沿って活性トレースの高い面密度及びメッシュセル開口部の中央部で活性トレースの低い面密度を有する）として記述できるように見えることがある。本開示の目的のため、また具体的には、活性トレース又は微小ワイヤの面密度を説明するため、面積分析法の分解能は、考慮中の面積が、所定の方向において、その面積における及びその方向における、トレース間、又は微小ワイヤ間の間隙と少なくとも同じくらい大きい、長さ寸法を有しなければならない。かかる分析により、活性トレースの局部面密度の決定を導くことができる。ある電極が、例えば、電極重複領域において、活性トレースの不均一な面密度を有する場合には、この重複領域内で活性トレースの局部面密度が異なる様々な位置が存在する。
【０１９５】
上部電極及び下部電極に対するクロスオーバー領域又はノード内に、この上部電極は上部電極クロスオーバー領域を有し、この下部電極は下部電極クロスオーバー領域を有する。クロスオーバー領域は、互いに重なりあう、上部電極のこれらの連続する微小ワイヤ部、及び連続する微小ワイヤの下部電極のこれらの部に限定される。下部電極の連続する微小ワイヤ部と重なりあう上部電極の連続する微小ワイヤ部は、（例えば、２層の電極層がｚ方向から視認可能であるので）図２を参照すると、ｘ−ｙ平面に置かれる、これらの連続する微小ワイヤ部である。下部電極の連続する微小ワイヤ部と重なりあわない上部電極の連続する微小ワイヤ部は、上部電極のクロスオーバー領域の一部ではない。上部電極の連続する微小ワイヤ部と重なり合わない下部電極の連続する微小ワイヤ部は、下部電極クロスオーバー領域の一部ではない。本明細書において上部電極及び下部電極は補完的であると説明する実施形態では、上部電極クロスオーバー領域内の活性トレースの面密度は不均一であり、下部電極クロスオーバー領域内の活性トレースの面密度は不均一である。不均一であるためには、活性トレースの面密度。
【０１９６】
図３７及び図３８は、電極のクロスオーバー領域における補完的な電極パターンの一例を示す。図３７及び図３８に示す実施形態の線は、導電体トレースを示す。図３７は、上部電極クロスオーバー領域９００ａを示す。図３８は下部電極クロスオーバー領域９００ｂを示す。上部電極クロスオーバー領域及び下部電極クロスオーバー領域はともに、典型的には、タッチスクリーンパネル内の電極の上部、又はそれぞれ下部配列を構成する個別の電極の一部である。タッチスクリーンパネル内で、上部電極クロスオーバー領域９００ａは、製造プロセス中、下部電極クロスオーバー領域９００ｂに見立て合わせて、その上に重ね合わされるであろう。
【０１９７】
上部電極クロスオーバー領域９００ａは、比較的高い活性領域導電体（又は、トレース）密度を有する内部電極パターン９０５ａ、比較的低い活性領域導電体密度を有する外部電極パターン９１５ａ、及び内部電極パターン９０５ａの密度と外部電極パターン９１５ａの密度との間のどこかにある、相対的な活性領域導電体密度を有する中間電極パターン９１０ａを含む。対照的に、下部電極クロスオーバー領域９００ｂは、比較的低い活性領域導電体（又は、トレース）密度を有する内部電極パターン９０５ｂ、比較的高い活性領域導電体密度を有する外部電極パターン９１５ｂ、及び内部電極パターン９０５ｂの密度と外部電極パターン９１５ｂの密度との間のどこかにある、相対的な活性領域導電体密度を有する中間電極パターン９１０ｂを含む。「上部」及び「下部」電極クロスオーバー領域と呼ばれているが、図３７及び図３８に示す実施形態（及び、その後に示し、説明する他の実施形態）は、上部又は下部クロスオーバー領域のいずれかであり得る。電極クロスオーバー領域９００ａは、電極クロスオーバー領域９００ｂに補完的であるのは、電極クロスオーバー領域９００ａに対する活性トレースの面密度は電極クロスオーバー領域９００ｂに対する活性トレースの面密度と逆に変化するからである。
【０１９８】
図３７及び図３８に示す特定の実施形態において、異なるサイズの正方形セルの繰り返されるパターンは、それぞれ内部パターン、中間パターン、及び外部パターンを備え、これは、それとともに、活性領域導電体密度の分散を確立する。活性領域導電体（又は、トレース）密度は、活性導電体トレースの単位面積当たりの合計長さである。導電体トレースは、それが連続する電極パターンの一部を形成する場合、活性である（即ち、断続的で、分離された導電体は、活性であるとみなされない）。セルは正方形以外であってもよく、いくつかの実施形態においては、セル形状は擬似ランダムである。更に、後の実施形態に示すように、活性領域導電体密度は、電極パターン内の個々のセルを規定する導電体よりもむしろ、又はそれを加えて、個々の導電体に対して設定してもよい。
【０１９９】
図３７及び図３８に付随する実施形態の中に示すセル幅は、以下の通りである。
上部電極クロスオーバー領域９００ａ（図３７）（６ｍｍの正方形）：
内部電極パターン９０５ａ：２００マイクロメートル
中間電極パターン９１０ａ：４００マイクロメートル
外部電極パターン９１５ａ：６００マイクロメートル
下部電極クロスオーバー領域９００ｂ（図３８）（６ｍｍの正方形）：
内部電極パターン９０５ｂ：６００マイクロメートル
中間電極パターン９１０ｂ：４００マイクロメートル
外部電極パターン９１５ｂ：２００マイクロメートル
【０２００】
図３７及び図３８に表す導電体トレースは、例えば、２マイクロメートルの幅を有する。この導電体トレースは、例えば、０．１５マイクロメートルの厚みを有する。この導電体トレースは、金属、例えば、銀を含む。
【０２０１】
示されるように、図３７及び図３８に示す実施形態に表現されるクロスオーバー領域は両方とも、３つの水準の変動する活性領域導電体密度を有する。当業者は、３つの水準超（又は未満）のパターン密度を有する無数の他のパターンを認識するであろう。−図３７及び図３８に示されるものは、説明だけのための簡単な実施形態であり、限定するものとして読まれるべきではない。
【０２０２】
図３９は、タッチスクリーンパネル内にノードを形成することに関して、上部電極クロスオーバー領域９００ａが下部電極クロスオーバー領域９００ｂに重なりあった際の、クロスオーバー領域を示す。この特定の実施形態において、上部クロスオーバー領域は下部クロスオーバー領域から、水平及び垂直のどちらにも、この場合では、約１００マイクロメートルだけオフセットしている。他のオフセットも可能である。下部電極に対する上部電極の、クロスオーバー領域内の位置上の活性領域導電体密度間の関係により、これらは補完される。（比較的高い活性領域導電体密度を有する）上部電極９０５ａの内部電極パターンは、（比較的低い活性領域導電体密度を有する）下部電極９０５ｂの内部電極パターンに重ね合わせて、内部合成領域９２２を形成する。反対に、（比較的低い活性領域導電体密度を有する）上部電極９１５ａの外部電極パターンは、（比較的高い活性領域導電体密度を有する）下部電極９１５ｂの外部電極パターンに重ね合わせて、外部合成領域９２６を形成する。中間電極パターン９１０ａ及び中間電極パターン９１０ｂは、同じ活性領域導電体密度を有する。上部電極内の比較的高い活性領域導電体密度と、下部電極内の比較的低い活性領域導電体密度との（内部合成領域９２２内の）位置合わせは、上部電極の比較的低い活性領域導電体密度と、上部電極の比較的高い活性領域導電体密度との（外部合成領域９２６内の）位置合わせと組み合わせることにより、上部電極及び下部電極は補完的になる。電極パターン内の位置で「比較的高い」活性領域導電体密度とは、その位置での局部活性領域導電体密度が、クロスオーバー領域のその電極に対する平均活性領域導電体密度より高いことを意味する。電極パターン内の位置で「比較的低い」活性領域導電体密度とは、その位置での局部活性領域導電体密度が、クロスオーバー領域内の電極に対する平均活性領域導電体密度より低いことを意味する。
【０２０３】
「補完的な、」とは、（例えば、タッチスクリーンパネル内の、）第１の及び第２の電極における重なり合ったクロスオーバー領域に対して、第１の電極において、（クロスオーバー領域内における第１の電極の平均活性領域導電体密度に対して）より低い活性領域導電体密度を有するクロスオーバー領域の区域は、第２の電極において、（クロスオーバー領域内の第２の電極に対する平均活性領域導電体密度に対して）より高い活性領域導電体密度を有することを意味する。いくつかの場合には、補完的な特徴はまた、同じクロスオーバー領域に対しても当てはまる−つまり、第１の電極において、（クロスオーバー領域内の第１の電極に対する平均活性領域導電体密度に対して）より高い活性領域導電体密度を有するクロスオーバー領域の区域は、第２の電極において、（クロスオーバー領域内の第２の電極に対する平均活性領域導電体密度に対して）より低い活性領域導電体密度を有する。
【０２０４】
図４０は、行電極９３０及び列電極９３２を示し、それぞれが個々に一連の繰り返されるクロスオーバー領域とともに作られる。クロスオーバー領域９３１ａは図３８の下部クロスオーバー領域９００ｂに相当し、クロスオーバー領域９３１ｂは図３７の上部クロスオーバー領域９００ａに相当する。行電極又は列電極のいずれかの配列は、例えば、図２８に示す電極配列を備えることができる。横電極９３０及び縦電極９３２は、クロスオーバー領域の直接繰り返しのパターンを有するものとして示され、本明細書には図示しない他の実施形態において、個々の電極のクロスオーバー領域は、組み立てられたタッチスクリーンパネルのクロスオーバー領域の一部ではないスペーサパターン領域によって、分離されている。
【０２０５】
図４１は、行電極９３０の下部配列及び列電極９３２の上部配列を含むタッチパネルセンサ９４０を示す。上部列電極が下部行電極を横切る領域は、クロスオーバー領域を形成し、クロスオーバー領域のパターンの少なくとも一部は、上部クロスオーバー領域と下部クロスオーバー領域との間と同じように、互いに補完的である。行相互接続子９４３ａ及び列相互接続子９４３ｂは、行電極及び列電極を接触感知電子機器（図示せず）と電気的に結合する。
【０２０６】
図４２〜図４７は、上部及び下部電極クロスオーバー領域の別の実施形態を示す（それぞれの例では、一方が上部電極クロスオーバー領域に該当し、他方が下部電極クロスオーバー領域に該当する）。それぞれクロスオーバー領域は、別のクロスオーバー領域を補完するように設計される。これらの図に示す実施形態のそれぞれのクロスオーバー領域において、より高い活性領域導電体密度の領域及びより低い活性領域導電体密度の領域がある。製造プロセスの一部として、上部電極クロスオーバー領域が下部電極クロスオーバー領域に見当合わされ、その上に重ね合わされる際、より高い活性領域導電体密度を有する一方の電極のクロスオーバー領域の少なくともいくらかの領域は、より低い活性領域導電体密度を有する他方の電極のクロスオーバー領域に対応し、その逆もまた同じであろう。これにより、この一対は補完的である。
【０２０７】
図４２及び４３はそれぞれ、補完的な電極クロスオーバー領域９５０ａ及び９５０ｂを示す。
【０２０８】
図４４及び４５はそれぞれ、補完的な電極クロスオーバー領域９５２ａ及び９５２ｂを示す。
【０２０９】
図４６及び４７はそれぞれ、補完的な電極クロスオーバー領域９５４ａ及び９５４ｂを示す。電極クロスオーバー領域９５４ｂは、開放パターン９５５内に配置された微小ワイヤ導電体を含み、これは隣接するセルを形成しない（先の実施形態は正方形状セルのセルサイズを変えることにより、活性領域導電体密度を設定した）。
【０２１０】
上述の補完的な種類の実施形態に関する変形例が考えられる。例えば、述べたように上部クロスオーバー領域と下部クロスオーバー領域を取り変えることができる。クロスオーバー領域の活性部を構成する導電体に対する導電体幅及び／又は厚さはまた、変えることもできる。−例えば、幅及び厚さは、領域の活性パターン密度が増加する領域において、減少させることができる。かかる幅の変形例は、例えば、０．１〜５０マイクロメートル、０．２５〜２５マイクロメートル、０．５〜１０マイクロメートル、０．７５〜４マイクロメートル、又は１〜２マイクロメートルのオーダーであり得る。かかる厚さの変形例は、例えば、０．０２５〜２０マイクロメートル、０．０５〜１０マイクロメートル、０．０７５〜５マイクロメートル、０．１〜２．５マイクロメートル、又は０．１２５〜１マイクロメートルのオーダーであり得る。
【０２１１】
いくつかの実施形態において、上部電極及び下部電極はまた、クロスオーバー領域又はノード（上部電極が、例えば、タッチパネル内の下部電極を横切るところ）でのこれらのパターンが、異なる関係を有するように設計され得る。即ち、上部電極クロスオーバー領域内の上部電極の活性トレースの面密度（活性領域導電体密度）は、均一であってもよく、下部電極クロスオーバー領域の活性トレースの面密度（活性領域導電体密度）は、可変（不均一）であってもよく、双方は、個々の導電トレースから形成される微小ワイヤパターンから構成され、下部電極クロスオーバー領域の少なくとも一部は、上部電極クロスオーバー領域の均一な活性領域導電体密度より、高い活性領域導電体密度を有する。
【０２１２】
いくつかの実施形態において、上部電極及び下部電極はまた、クロスオーバー領域又はノード（上部電極が、例えば、タッチパネル内の下部電極を横切るところ）が異なる関係を有するように設計され得る。即ち、上部電極クロスオーバー領域内の上部電極の活性トレース（活性領域導電体密度）の面密度は可変であってもよく、下部電極クロスオーバー領域の活性トレース（活性領域導電体密度）の面密度は、均一であってもよく、双方は、個々の導電トレースから形成される微小ワイヤパターンから構成され、上部電極クロスオーバー領域の少なくとも一部は、下部電極クロスオーバー領域の均一な活性領域導電体密度より低い活性領域導電体密度を有する。
【０２１３】
図４８は、多層タッチスクリーンセンサ要素７４０の平面図を示し、第１及び第２のパターン化された基材が積層されている。区域７３０は、第１及び第２の連続区域の重複を示した。区域７３２は、第１の連続区域及び第２の不連続区域の重複を示した。区域７３４は、第２の連続区域及び第１の不連続区域の重複を示した。また、区域７３６は、第１及び第２の不連続区域間の重複を示した。これらの重複区域が複数存在したが、例証を容易とするために、それぞれ１つの区域のみが図に示されている。要素７４０の列電極又は行電極は、本明細書に記載される実施形態にしたがって構成されてもよい。
【０２１４】
以下は、本開示の項目の一覧である。
項目１は、
微小ワイヤ導電体の相互接続された上部メッシュで構成される上部電極と、
微小ワイヤ導電体の相互接続された下部メッシュで構成される下部電極と、
前記上部電極と前記下部電極との間に配置された絶縁体とを備え、
前記上部電極はクロスオーバー領域で前記下部電極と交差し、これにより、第１の導電体パターンを有する上部電極クロスオーバー領域、及び第２の導電体パターンを有する下部電極クロスオーバー領域を画定し、
前記第１の導電体パターンは第１の可変活性領域導電体密度を有し、前記第２の導電体パターンは第２の可変活性領域導電体密度を有し、
前記第１の及び第２の可変活性領域導電体密度は互いに補完的である、多層タッチパネルである。
【０２１５】
項目２は、前記第１の及び第２のパターンが微小ワイヤ導電体セルで構成され、前記第１のパターンの前記平均セルサイズが、前記第２のパターンの前記平均セルサイズより大きい、項目１に記載のタッチパネルである。
【０２１６】
項目３は、前記セルが擬似ランダム形状を含む、項目２に記載のタッチパネルである。
【０２１７】
項目４は、前記第１の及び第２のパターンの前記平均セルサイズが、５０マイクロメートル〜１センチメートルの範囲にある、項目２に記載のタッチパネルである。
【０２１８】
項目５は、前記第１の及び第２のパターンの前記平均セルサイズが、１００マイクロメートル〜５ミリメートルの範囲にある、項目４に記載のタッチパネルである。
【０２１９】
項目６は、前記第１の及び第２のパターンが微小ワイヤ導電体セルで構成され、前記第１のパターンの前記セルの平均セルサイズが１００マイクロメートル〜５ミリメートルであり、前記第２のパターンの前記セルの平均セルサイズが５０マイクロメートル〜１００マイクロメートルである、項目１に記載のタッチパネルである。
【０２２０】
項目７は、前記上部電極クロスオーバー領域が第１の平均活性領域導電体密度を有し、前記下部電極クロスオーバー領域が第２の平均活性領域導電体密度を有し、前記第２の平均活性領域導電体密度が前記第１の平均活性領域導電体密度より高い、項目１に記載のタッチパネルである。
【０２２１】
項目８は、前記上部メッシュ及び下部メッシュが０．５〜１０マイクロメートルの幅を有する金属トレースを含む、項目１に記載のタッチパネルである。
【０２２２】
項目９は、前記上部メッシュ及び下部メッシュは、０．７５〜５マイクロメートルの幅を有する金属トレースを含む、項目１に記載のタッチパネルである。
【０２２３】
項目１０は、前記上部メッシュ及び前記下部メッシュが曲線トレースを含む、項目１に記載のタッチパネルである。
【０２２４】
項目１１は、
微小ワイヤ導電体の相互接続された上部メッシュで構成される上部電極と、
微小ワイヤ導電体の相互接続された下部メッシュで構成される下部電極と、
前記上部電極と下部電極との間に配置された絶縁体とを備え、
前記上部電極はクロスオーバー領域で前記下部電極と交差し、これにより、第１の導電体パターンを有する上部電極クロスオーバー領域、及び第２の導電体パターンを有する下部電極クロスオーバー領域を画定し、
前記第１の導電体パターンは均一な活性領域導電体密度を有し、前記第２の導電体パターンは可変活性領域導電体密度を有し、
前記第２の導電体パターンの少なくとも一部が、前記第１の導電体パターンの前記活性領域導電体密度より高い活性領域導電体密度を有する、多層タッチパネルである。
【０２２５】
項目１２は、前記第１の及び第２のパターンが微小ワイヤ導電体セルで構成され、前記第１のパターンの前記平均セルサイズが前記第２のパターンの前記平均セルサイズより大きい、項目１１に記載のタッチパネルである。
【０２２６】
項目１３は、前記セルが擬似ランダム形状を含む、項目１２に記載のタッチパネルである。
【０２２７】
項目１４は、前記第１の及び第２のパターンの前記平均セルサイズが５０マイクロメートル〜１センチメートルの範囲にある、項目１２に記載のタッチパネルである。
【０２２８】
項目１５は、前記第１の及び第２のパターンの前記平均セルサイズが、１００マイクロメートル〜５ミリメートルの範囲にある、項目１４に記載のタッチパネルである。
【０２２９】
項目１６は、前記第１の及び第２のパターンが微小ワイヤ導電体セルで構成され、前記第１のパターンの前記セルの平均セルサイズが１００マイクロメートル〜５ミリメートルであり、前記第２のパターンの前記セルの平均セルサイズが５０マイクロメートル〜１００マイクロメートルである、項目１１に記載のタッチパネルである。
【０２３０】
項目１７は、前記上部電極クロスオーバー領域が第１の平均活性領域導電体密度を有し、前記下部電極クロスオーバー領域が第２の平均活性領域導電体密度を有し、前記第２の平均活性領域導電体密度が前記第１の平均活性領域導電体密度より高い、項目１１に記載のタッチパネルである。
【０２３１】
項目１８は、前記上部メッシュ及び下部メッシュが０．５〜１０マイクロメートルの幅を有する金属トレースを含む、項目１１に記載のタッチパネルである。
【０２３２】
項目１９は、前記上部メッシュ及び下部メッシュが０．７５〜５マイクロメートルの幅を有する金属トレースを含む、項目１１に記載のタッチパネルである。
【０２３３】
項目２０は、前記上部メッシュ及び前記下部メッシュが曲線トレースを含む、項目１１に記載のタッチパネルである。
【０２３４】
項目２１は
微小ワイヤ導電体の相互接続された上部メッシュで構成される上部電極と、
微小ワイヤ導電体の相互接続された下部メッシュで構成される下部電極と、
前記上部電極と下部電極との間に配置された絶縁体とを備え、
前記上部電極はクロスオーバー領域で前記下部電極と交差し、これにより、第１の導電体パターンを有する上部電極クロスオーバー領域、及び第２の導電体パターンを有する下部電極クロスオーバー領域を画定し、
前記第１の導電体パターンは可変活性領域導電体密度を有し、前記第２の導電体パターンは均一な活性領域導電体密度を有し、
前記第１の導電体パターンの少なくとも一部は、前記第２の導電体パターンの前記活性領域導電体密度より低い活性領域導電体密度を有する、多層タッチパネルである。
【０２３５】
項目２２は、前記第１の及び第２のパターンは微小ワイヤ導電体セルで構成され、前記第１のパターンの前記平均セルサイズは、前記第２のパターンの前記平均セルサイズより大きい、項目１１に記載のタッチパネルである。
【０２３６】
項目２３は、前記セルが擬似ランダム形状を含む、項目２２に記載のタッチパネルである。
【０２３７】
項目２４は、前記第１の及び第２のパターンの前記セルサイズが５０マイクロメートル〜１センチメートルの範囲にある、項目２２に記載のタッチパネルである。
【０２３８】
項目２５は、前記第１の及び第２のパターンの前記セルサイズが１００マイクロメートル〜５ミリメートルの範囲にある、項目２４に記載のタッチパネルである。
【０２３９】
項目２６は、前記第１の及び第２のパターンが微小ワイヤ導電体セルで構成され、前記第１のパターンの前記セルの平均セルサイズが１００マイクロメートル〜５ミリメートルであり、前記第２のパターンの前記セルの平均セルサイズが５０マイクロメートル〜１００マイクロメートルである、項目２５に記載のタッチパネルである。
【０２４０】
項目２７は、前記上部電極クロスオーバー領域が第１の平均活性領域導電体密度を有し、前記下部電極クロスオーバー領域が第２の平均活性領域導電体密度を有し、前記第２の平均活性領域導電体密度が前記第１の平均活性領域導電体密度より高い、項目２１に記載のタッチパネルである。
【０２４１】
項目２８は、前記上部メッシュ及び下部メッシュが０．５〜１０マイクロメートルの幅を有する金属トレースを含む、項目２１に記載のタッチパネルである。
【０２４２】
項目２９は、前記上部メッシュ及び下部メッシュが０．７５〜５マイクロメートルの幅を有する金属トレースを含む、項目２１に記載のタッチパネルである。
【０２４３】
項目３０は、前記上部メッシュ及び前記下部メッシュが曲線トレースを含む、項目２１に記載のタッチパネルである。
【０２４４】
本発明は、開示されたもの以外の実施形態でも実施可能であることを、当業者は理解するであろう。開示された実施形態は、例示の目的で提示されたものであって、限定的なものではなく、本発明は以下の「特許請求の範囲」によってのみ限定される。
【図１】
2016502198.tif 000004
【図２】
2016502198.tif 000005
【図３ａ】
2016502198.tif 000006
【図３ｂ】
2016502198.tif 000007
【図４】
2016502198.tif 000008
【図５】
2016502198.tif 000009
【図６】
2016502198.tif 000010
【図７ａ】
2016502198.tif 000011
【図７ｂ】
2016502198.tif 000012
【図８】
2016502198.tif 000013
【図９】
2016502198.tif 000014
【図１０】
2016502198.tif 000015
【図１１】
2016502198.tif 000016
【図１２】
2016502198.tif 000017
【図１３】
2016502198.tif 000018
【図１４】
2016502198.tif 000019
【図１５】
2016502198.tif 000020
【図１５ａ】
2016502198.tif 000021
【図１５ｂ】
2016502198.tif 000022
【図１５ｃ】
2016502198.tif 000023
【図１５ｄ】
2016502198.tif 000024
【図１５ｅ】
2016502198.tif 000025
【図１６】
2016502198.tif 000026
【図１７】
2016502198.tif 000027
【図１８】
2016502198.tif 000028
【図１９】
2016502198.tif 000029
【図２０】
2016502198.tif 000030
【図２１】
2016502198.tif 000031
【図２２】
2016502198.tif 000032
【図２３】
2016502198.tif 000033
【図２４】
2016502198.tif 000034
【図２５】
2016502198.tif 000035
【図２６】
2016502198.tif 000036
【図２７】
2016502198.tif 000037
【図２７ａ】
2016502198.tif 000038
【図２７ｂ】
2016502198.tif 000039
【図２８】
2016502198.tif 000040
【図２８ａ】
2016502198.tif 000041
【図２８ｂ】
2016502198.tif 000042
【図２９】
2016502198.tif 000043
【図３０ａ】
2016502198.tif 000044
【図３０ｂ】
2016502198.tif 000045
【図３１ａ】
2016502198.tif 000046
【図３１ｂ】
2016502198.tif 000047
【図３１ｃ】
2016502198.tif 000048
【図３２】
2016502198.tif 000049
【図３３】
2016502198.tif 000050
【図３４】
2016502198.tif 000051
【図３５】
2016502198.tif 000052
【図３６】
2016502198.tif 000053
【図３７】
2016502198.tif 000054
【図３８】
2016502198.tif 000055
【図３９】
2016502198.tif 000056
【図４０】
2016502198.tif 000057
【図４１】
2016502198.tif 000058
【図４２】
2016502198.tif 000059
【図４３】
2016502198.tif 000060
【図４４】
2016502198.tif 000061
【図４５】
2016502198.tif 000062
【図４６】
2016502198.tif 000063
【図４７】
2016502198.tif 000064
【図４８】
2016502198.tif 000065
【国際調査報告】
2016502198.tif 000066
2016502198.tif 000067